(57)【特許請求の範囲】
【請求項１】
酸化剤ガスと燃料ガスとの電気化学反応により発電する燃料電池セルスタックと、
前記燃料電池セルスタックの周囲に設けられた円筒状又は楕円筒状の収容部と、
前記燃料電池セルスタックの上方に前記収容部と同軸上に設けられた円筒状又は楕円筒状の周壁部を有すると共に、前記燃料電池セルスタックから排出され前記周壁部の内側に供給されたスタック排ガスを燃焼し、燃焼排ガスを上方に排出する燃焼部と、
前記燃焼部の上方に前記周壁部と同軸上に設けられると共に、円筒状又は楕円筒状とされ、且つ、前記燃焼排ガスの熱を利用して原燃料ガスから前記燃料ガスを生成する改質部と、
前記改質部の上方に前記改質部と同軸上に設けられると共に、互いの間に隙間を有する四重の円筒状又は楕円筒状の筒状壁によって構成され、且つ、該四重の筒状壁の内側から外側へ順に、断熱空間、原燃料を気化して前記原燃料ガスを生成する気化流路、前記原燃料に対して気化熱を与える前記燃焼排ガスが流れる燃焼排ガス流路、及び、前記燃焼排ガスとの間で熱交換する前記酸化剤ガスが流れる酸化剤ガス流路を有する気化部と、
前記改質部及び前記気化部の周囲に設けられると共に、互いの間に隙間を有する三重の円筒状又は楕円筒状の筒状壁によって構成され、且つ、前記三重の筒状壁における内側の筒状壁及び外側の筒状壁のうちの一方と中央の筒状壁との間に前記酸化剤ガスが流れる酸化剤ガス流路を有すると共に、前記内側の筒状壁及び前記外側の筒状壁のうちの他方と前記中央の筒状壁との間に前記酸化剤ガスとの間で熱交換する前記燃焼排ガスが流れる燃焼排ガス流路を有する熱交換部と、
を備え、
前記気化流路は、螺旋形成部によって前記気化部の軸方向回りに螺旋状に形成され、
前記熱交換部の前記酸化剤ガス流路及び前記燃焼排ガス流路は、螺旋形成部によって前記熱交換部の軸方向回りに螺旋状に形成され、
前記熱交換部の前記酸化剤ガス流路及び前記燃焼排ガス流路は、前記気化流路よりも螺旋のピッチが大きい、
燃料電池モジュール。
【請求項２】
前記改質部及び前記気化部と前記熱交換部との間に介在された断熱層をさらに備える、
請求項１に記載の燃料電池モジュール。
【請求項３】
前記熱交換部の前記酸化剤ガス流路における前記酸化剤ガスの流れと、前記熱交換部の前記燃焼排ガス流路における前記燃焼排ガスの流れとは、前記熱交換部の軸方向に逆向きである、
請求項１又は請求項２に記載の燃料電池モジュール。
【請求項４】
酸化剤ガスと燃料ガスとの電気化学反応により発電する燃料電池セルスタックと、
前記燃料電池セルスタックの周囲に設けられた円筒状又は楕円筒状の収容部と、
前記燃料電池セルスタックの上方に前記収容部と同軸上に設けられた円筒状又は楕円筒状の周壁部を有すると共に、前記燃料電池セルスタックから排出され前記周壁部の内側に供給されたスタック排ガスを燃焼し、燃焼排ガスを上方に排出する燃焼部と、
前記燃焼部の上方に前記周壁部と同軸上に設けられると共に、互いの間に隙間を有する少なくとも三重の円筒状又は楕円筒状の筒状壁によって構成され、且つ、該三重の筒状壁の内側から外側へ順に、断熱空間、前記燃焼排ガスが流れる燃焼排ガス流路、及び、前記燃焼排ガスの熱を利用して原燃料ガスから前記燃料ガスを生成するための改質触媒層が設けられた改質流路を有する改質部と、
前記改質部の上方に前記改質部と同軸上に設けられると共に、互いの間に隙間を有する少なくとも三重の円筒状又は楕円筒状の筒状壁によって構成され、且つ、該三重の筒状壁の内側から外側へ順に、断熱空間、原燃料を気化して前記原燃料ガスを生成する気化流路、及び、前記原燃料に対して気化熱を与える前記燃焼排ガスが流れる燃焼排ガス流路を有する気化部と、
前記改質部及び前記気化部の周囲に設けられた三重の円筒状又は楕円筒状の筒状壁によって構成され、前記三重の筒状壁における内側の筒状壁及び外側の筒状壁のうちの一方と中央の筒状壁との間に前記酸化剤ガスが流れる酸化剤ガス流路を有すると共に、前記内側の筒状壁及び前記外側の筒状壁のうちの他方と前記中央の筒状壁との間に前記酸化剤ガスとの間で熱交換する前記燃焼排ガスが流れる燃焼排ガス流路を有する熱交換部と、
を備える燃料電池モジュール。
【請求項５】
前記改質部は、前記三重の筒状壁を含み互いの間に隙間を有する四重の円筒状又は楕円筒状の筒状壁によって構成されると共に、該四重の筒状壁の内側から外側へ順に、前記断熱空間、前記燃焼排ガス流路、前記改質流路、及び、前記酸化剤ガスが流れる酸化剤ガス流路を有し、
前記気化部は、前記三重の筒状壁を含み互いの間に隙間を有する四重の円筒状又は楕円筒状の筒状壁によって構成されると共に、該四重の筒状壁の内側から外側へ順に、前記断熱空間、前記気化流路、前記燃焼排ガス流路、及び、前記燃焼排ガスとの間で熱交換する前記酸化剤ガスが流れる酸化剤ガス流路を有する、
請求項４に記載の燃料電池モジュール。
【請求項６】
前記改質部を構成する四重の筒状壁のうち最も内側に位置する筒状壁と、前記気化部を構成する四重の筒状壁のうち最も内側に位置する筒状壁とは、一体に形成されている、
請求項５に記載の燃料電池モジュール。
【請求項７】
前記改質部を構成する四重の筒状壁のうち最も外側に位置する筒状壁と、前記気化部を構成する四重の筒状壁のうち最も外側に位置する筒状壁とは、一体に形成され、
前記改質部を構成する四重の筒状壁のうち外側から二番目の筒状壁と、前記気化部を構成する四重の筒状壁のうち外側から二番目の筒状壁とは、一体に形成されている、
請求項５又は請求項６に記載の燃料電池モジュール。
【請求項８】
前記気化部を構成する四重の筒状壁のうち最も外側に位置する筒状壁と、前記熱交換部を構成する三重の筒状壁のうちの内側の筒状壁とは、第一連結部を介して一体に形成され、
前記気化部を構成する四重の筒状壁のうち外側から二番目の筒状壁と、前記熱交換部を構成する三重の筒状壁のうちの中央の筒状壁とは、第二連結部を介して一体に形成されている、
請求項５〜請求項７のいずれか一項に記載の燃料電池モジュール。
【請求項９】
前記収容部は、前記燃料電池セルスタックの周囲に設けられた二重の円筒状又は楕円筒状の筒状壁によって構成されると共に、該二重の筒状壁の間に前記酸化剤ガス流路と連通し前記燃料電池セルスタックの排熱で予熱される前記酸化剤ガスが流れる予熱流路を有する予熱部である、
請求項５〜請求項８のいずれか一項に記載の燃料電池モジュール。
【請求項１０】
前記予熱部を構成する二重の筒状壁のうち外側の筒状壁と、前記改質部を構成する四重の筒状壁のうち最も外側に位置する筒状壁とは、一体に形成され、
前記予熱部を構成する二重の筒状壁のうち内側の筒状壁と、前記改質部を構成する四重の筒状壁のうち外側から二番目の筒状壁とは、一体に形成されている、
請求項９に記載の燃料電池モジュール。
【発明の詳細な説明】
【技術分野】
【０００１】
本発明は、燃料電池モジュールに関する。
【背景技術】
【０００２】
燃料電池モジュールとしては、例えば、直方形の燃料電池モジュール（例えば、特許文献１参照）と、円筒形の燃料電池モジュール（例えば、特許文献２〜４参照）とがある。
【０００３】
また、円筒形の燃料電池モジュールとしては、例えば、燃料電池セルスタックと、改質器と、気化器と、熱交換器等とが径方向に並ぶ多層構造の燃料電池モジュールがある。このような径方向の多層構造では、複雑な構造となるためコストアップになると共に、燃料電池モジュールが径方向に大型化する。
【０００４】
一方、円筒形の燃料電池モジュールを径方向に小型化する例としては、燃料電池セルスタックと、燃料電池セルスタックの上方に配置されると共に平面形状が円形状の改質部と、改質部の上方に配置された気化部とを備えた燃料電池モジュールがある（例えば、特許文献５参照）。
【０００５】
このような燃料電池モジュールでは、改質部及び気化部に複数の部屋が必要であり、さらに、気化部の中央から周縁側に原燃料ガスを流すための渦巻き状の流路が設置されているので、結果的に構造が複雑になり、コストアップとなる。
【先行技術文献】
【特許文献】
【０００６】
【特許文献１】国際公開第２００９／０１６８５７号パンフレット
【特許文献２】特表２０１０−５０４６０７号公報
【特許文献３】特開２０１４−７８３４８号公報
【特許文献４】特開２０１３−１８２７０７号公報
【特許文献５】特開２０１１−１７５８５３号公報
【発明の概要】
【発明が解決しようとする課題】
【０００７】
本発明は、上記事情に鑑みて成されたものであり、低コスト化と径方向の小型化とを両立できる燃料電池モジュールを提供することを目的とする。
【課題を解決するための手段】
【００１４】
本発明の一態様に係る燃料電池モジュールは、酸化剤ガスと燃料ガスとの電気化学反応により発電する燃料電池セルスタックと、前記燃料電池セルスタックの周囲に設けられた円筒状又は楕円筒状の収容部と、前記燃料電池セルスタックの上方に前記収容部と同軸上に設けられた円筒状又は楕円筒状の周壁部を有すると共に、前記燃料電池セルスタックから排出され前記周壁部の内側に供給されたスタック排ガスを燃焼し、燃焼排ガスを上方に排出する燃焼部と、前記燃焼部の上方に前記周壁部と同軸上に設けられると共に、円筒状又は楕円筒状とされ、且つ、前記燃焼排ガスの熱を利用して原燃料ガスから前記燃料ガスを生成する改質部と、前記改質部の上方に前記改質部と同軸上に設けられると共に、互いの間に隙間を有する四重の円筒状又は楕円筒状の筒状壁によって構成され、且つ、該四重の筒状壁の内側から外側へ順に、断熱空間、原燃料を気化して前記原燃料ガスを生成する気化流路、前記原燃料に対して気化熱を与える前記燃焼排ガスが流れる燃焼排ガス流路、及び、前記燃焼排ガスとの間で熱交換する前記酸化剤ガスが流れる酸化剤ガス流路を有する気化部と、前記改質部及び前記気化部の周囲に設けられると共に、互いの間に隙間を有する三重の円筒状又は楕円筒状の筒状壁によって構成され、且つ、前記三重の筒状壁における内側の筒状壁及び外側の筒状壁のうちの一方と中央の筒状壁との間に前記酸化剤ガスが流れる酸化剤ガス流路を有すると共に、前記内側の筒状壁及び前記外側の筒状壁のうちの他方と前記中央の筒状壁との間に前記酸化剤ガスとの間で熱交換する前記燃焼排ガスが流れる燃焼排ガス流路を有する熱交換部と、を備え、前記気化流路は、螺旋形成部によって前記気化部の軸方向回りに螺旋状に形成され、前記熱交換部の前記酸化剤ガス流路及び前記燃焼排ガス流路は、螺旋形成部によって前記熱交換部の軸方向回りに螺旋状に形成され、前記熱交換部の前記酸化剤ガス流路及び前記燃焼排ガス流路は、前記気化流路よりも螺旋のピッチが大きい。
【００１５】
この燃料電池モジュールによれば、燃料電池セルスタックを収容する収容部と、燃焼部の周壁部と、改質部と、気化部とは、互いに同軸上に設けられている。また、改質部及び気化部の周囲に設けられた熱交換部は、三重の筒状壁によって構成され、この三重の筒状壁に、熱交換部における酸化剤ガス流路及び燃焼排ガス流路が形成されている。従って、燃料電池モジュールが径方向に拡がることを抑制できるので、燃料電池モジュールを径方向に小型化することができる。
【００１６】
しかも、熱交換部は、三重の筒状壁によって構成されている。従って、熱交換部における構造を簡素化できると共に、熱交換部の組立が容易になるので、燃料電池モジュールを低コスト化することができる。
【発明の効果】
【００２０】
以上詳述したように、本発明の燃料電池モジュールによれば、低コスト化と径方向の小型化とを両立することができる。
【図面の簡単な説明】
【００２１】
【図１】第一実施形態に係る燃料電池モジュールの縦断面を含む斜視図である。
【図２】図１に示される燃料電池モジュールの縦断面図である。
【図３】図２の要部拡大図である。
【図４】図２の要部拡大図である。
【図５】図２の要部拡大図である。
【図６】第二実施形態に係る燃料電池モジュールの縦断面図である。
【図７】図６の要部拡大図である。
【図８】第三実施形態に係る燃料電池モジュールの縦断面図である。
【図９】図８の要部拡大図である。
【図１０】図８の要部拡大図である。
【図１１】第四実施形態に係る燃料電池モジュールの縦断面図である。
【図１２】図１１の要部拡大図である。
【図１３】図１１の要部拡大図である。
【図１４】図１１の要部拡大図である。
【図１５】第五実施形態に係る燃料電池モジュールの縦断面図である。
【図１６】図１５の要部拡大図である。
【図１７】図１５の要部拡大図である。
【図１８】第六実施形態に係る燃料電池モジュールの縦断面図である。
【図１９】図１８の要部拡大図である。
【図２０】図１８の要部拡大図である。
【図２１】図１８の要部拡大図である。
【図２２】燃料電池モジュールの第一変形例を示す縦断面図である。
【図２３】燃料電池モジュールの第二変形例を示す縦断面図である。
【図２４】図２２，図２３に示される中央板の斜視図である。
【図２５Ａ】燃料電池モジュールの第三変形例を示す縦断面図である。
【図２５Ｂ】図２５ＡのＦ２５Ｂ−Ｆ２５Ｂ線断面図である。
【図２６Ａ】燃料電池モジュールの第四変形例を示す縦断面図である。
【図２６Ｂ】図２６ＡのＦ２６Ｂ−Ｆ２６Ｂ線断面図である。
【図２７】平板形の燃料電池セルスタックの構成を説明する図である。
【図２８】円筒形の燃料電池セルスタックの構成を説明する図である。
【図２９】円筒平板形の燃料電池セルスタックの構成を説明する図である。
【図３０】第一実施形態に係る燃料電池モジュールを対象として行う第一の評価試験における測定箇所を説明する図である。
【図３１】第一実施形態に係る燃料電池モジュールを対象として行う第二の評価試験における測定箇所を説明する図である。
【図３２】第二実施形態に係る燃料電池モジュールを対象として行う第二の評価試験における測定箇所を説明する図である。
【図３３】第三実施形態に係る燃料電池モジュールを対象として行う第二の評価試験における測定箇所を説明する図である。
【発明を実施するための形態】
【００２２】
［第一実施形態］
はじめに、本発明の第一実施形態について説明する。本発明の第一実施形態は、本発明の一実施形態である。
【００２３】
＜燃料電池モジュール＞
図１，図２に示されるように、第一実施形態に係る燃料電池モジュールＭ１は、燃料電池セルスタック１０と、容器２０と、断熱層１３０と、断熱材１４０とを備える。
【００２４】
＜燃料電池セルスタック＞
燃料電池セルスタック１０には、一例として、固体酸化物形燃料電池（ＳＯＦＣ）が適用されている。この燃料電池セルスタック１０は、一例として、鉛直方向に積層された複数の平板形のセル１２と、マニホールド１４と有している。各セル１２は、燃料極、電解質層、空気極を有する。
【００２５】
各セル１２の燃料極には、改質ガスが供給され、各セル１２の空気極には、酸化剤ガスが供給される。各セル１２は、酸化剤ガスと燃料ガスとの電気化学反応により発電すると共に、発電に伴い発熱する。
【００２６】
＜容器＞
容器２０は、複数（九個）の管材２１〜２９により構成されている。この複数の管材２１〜２９は、いずれも横断面が真円形状である円筒状に形成され、伝熱性の高い金属で形成される。この複数の管材２１〜２９は、容器２０の内側から外側に順に配置されている。
【００２７】
一番目の管材２１は、燃料電池セルスタック１０の上方から容器２０の上端部に亘って設けられている。二番目の管材２２及び三番目の管材２３は、一番目の管材２１の上部に対応する長さで形成されており、二番目の管材２２は、一番目の管材２１の外側から管材２１の上部に接合されている。四番目の管材２４は、容器２０の高さ方向の中央部に設けられており、五番目の管材２５及び六番目の管材２６は、容器２０の下端部から上端部に亘って設けられている。七番目の管材２７、八番目の管材２８、及び、九番目の管材２９は、容器２０の高さ方向の中央部から上端部に亘って設けられている。
【００２８】
六番目の管材２６と七番目の管材２７とは、水平方向に延びる連結部３１（第一連結部）を介して連結され、五番目の管材２５と八番目の管材２８とは、水平方向に延びる連結部３２（第二連結部）を介して連結されている。また、九番目の管材２９の上端部は、水平方向に延びる連結部３３を介して三番目の管材２３の上端部に固定されている。
【００２９】
五番目の管材２５の下端部は、底壁部３４に固定されており、六番目の管材２６の下端部は、底壁部３５に固定されている。底壁部３４には、燃料電池セルスタック１０が載置されており、また、底壁部３４と底壁部３５とは、スペーサ３６により固定されている。底壁部３４，３５には、燃料電池セルスタック１０から延びる出力線１７が貫通している。出力線１７が貫通する底壁部３４，３５の穴の内周と出力線１７の外周との間は、適宜シールされる。
【００３０】
この複数の管材２１〜２９によって構成される容器２０は、機能別には、気化部４０と、改質部６０と、燃焼部９０と、予熱部１００（収容部）と、熱交換部１１０とを有する。
【００３１】
＜気化部＞
気化部４０は、図２〜図４に示されるように、四重の筒状壁４１〜４４によって構成されている。四重の筒状壁４１〜４４のうち最も内側に位置する筒状壁４１は、一番目の管材２１の上部と、二番目の管材２２とによって構成され、四重の筒状壁４１〜４４のうち内側から二番目の筒状壁４２は、三番目の管材２３によって構成されている。また、四重の筒状壁４１〜４４のうち内側から三番目の筒状壁４３は、五番目の管材２５の上部によって構成され、四重の筒状壁４１〜４４のうち最も外側の筒状壁４４は、六番目の管材２６の上部によって構成されている。
【００３２】
この四重の筒状壁４１〜４４によって構成された気化部４０は、後述する改質部６０の上方に改質部６０と同軸上に設けられている。図３に示されるように、この気化部４０を構成する四重の筒状壁４１〜４４は、互いの間に隙間を有しており、この四重の筒状壁４１〜４４の内側から外側には、断熱空間４５、気化流路４６、燃焼排ガス流路４７、及び、酸化剤ガス流路４８が順に形成されている。
【００３３】
つまり、一番目の筒状壁４１の内側の空間は、断熱空間４５として形成され、一番目の筒状壁４１と、二番目の筒状壁４２との間の隙間は、気化流路４６として形成されている。また、二番目の筒状壁４２と、三番目の筒状壁４３との間の隙間は、燃焼排ガス流路４７として形成され、三番目の筒状壁４３と、四番目の筒状壁４４との間の隙間は、酸化剤ガス流路４８として形成されている。図３において、断熱空間４５は、空洞とされているが、この断熱空間４５には、断熱材４９が充填されても良い。
【００３４】
気化流路４６の上端部には、容器２０の径方向外側に延びる原燃料供給管５０が接続されている。原燃料供給管５０は、連結部３１〜３３の上方に位置する。気化流路４６は、鉛直方向上側を上流側として形成されており、この気化流路４６には、原燃料供給管５０から供給された原燃料１６１が鉛直方向上側から下側に流れる。原燃料供給管５０から供給される原燃料１６１としては、例えば、都市ガス等の炭化水素系ガス又は炭化水素系液体である炭化水素系燃料に改質用の水が混合されたものが使用される。
【００３５】
この気化流路４６には、気化部４０の軸方向回りに螺旋状に形成された螺旋凸部５１（螺旋形成部）が設けられており、この螺旋凸部５１により、気化流路４６は、気化部４０の軸方向回りに螺旋状に形成されている。螺旋凸部５１は、気化流路４６を形成する筒状壁４１，４２の両方と接触しており、筒状壁４１及び筒状壁４２の間に介在するスペーサの役割を果たしている。
【００３６】
図４に示されるように、気化部４０の下端部には、トラップ部５４が設けられている。このトラップ部５４は、後述する連結管８１（オリフィス８２）に対する下方に位置している。このトラップ部５４は、気化流路４６の下端部と連通する空間を有する凹状に形成されている。気化流路４６の幅Ｗ１、すなわち、一番目の筒状壁４１と、二番目の筒状壁４２との間の隙間は、後述する改質部６０に形成された改質流路６７の幅Ｗ２よりも狭くなっている。
【００３７】
燃焼排ガス流路４７の下端部は、後述する改質部６０に形成された燃焼排ガス流路６６（図４参照）を介して燃焼部９０に形成された燃焼室９４（図５参照）と連通されている。燃焼排ガス流路４７は、鉛直方向下側を上流側として形成されており、この燃焼排ガス流路４７には、燃焼部９０から排出されると共に改質部６０の燃焼排ガス流路６６を通じて供給された燃焼排ガス１６６が鉛直方向下側から上側に流れる。
【００３８】
燃焼排ガス流路４７の上端部には、この燃焼排ガス流路４７の周方向に沿って環状に形成された整流板５２が設けられている。この整流板５２には、周方向に間隔を空けて複数のオリフィス５３が形成されている。この複数のオリフィス５３は、整流板５２の板厚方向に貫通している。なお、この整流板５２は、省かれても良い。
【００３９】
酸化剤ガス流路４８の上端部は、後述する熱交換部１１０に形成された酸化剤ガス流路１１７と連通されている。この酸化剤ガス流路４８は、鉛直方向上側を上流側として形成されており、この酸化剤ガス流路４８には、熱交換部１１０の酸化剤ガス流路１１７から供給された酸化剤ガス１６４が鉛直方向上側から下側に流れる。
【００４０】
＜改質部＞
改質部６０は、上述の気化部４０の下方に設けられた四重の筒状壁６１〜６４によって構成されている。四重の筒状壁６１〜６４のうち最も内側に位置する筒状壁６１は、一番目の管材２１の下部によって構成され、四重の筒状壁６１〜６４のうち内側から二番目の筒状壁６２は、四番目の管材２４によって構成されている。また、四重の筒状壁６１〜６４のうち内側から三番目の筒状壁６３は、五番目の管材２５における高さ方向の中央部によって構成され、四重の筒状壁６１〜６４のうち最も外側の筒状壁６４は、六番目の管材２６における高さ方向の中央部によって構成されている。
【００４１】
この四重の筒状壁６１〜６４によって構成された改質部６０は、後述する燃焼部９０（図５参照）の上方に燃焼部９０と同軸上に設けられている。この改質部６０を構成する四重の筒状壁６１〜６４は、互いの間に隙間を有している。そして、この四重の筒状壁６１〜６４の内側から外側には、断熱空間６５、燃焼排ガス流路６６、改質流路６７、及び、酸化剤ガス流路６８が順に形成されている。
【００４２】
つまり、一番目の筒状壁６１の内側の空間は、断熱空間６５として形成され、一番目の筒状壁６１と、二番目の筒状壁６２との間の隙間は、燃焼排ガス流路６６として形成されている。また、二番目の筒状壁６２と、三番目の筒状壁６３との間の隙間は、改質流路６７として形成され、三番目の筒状壁６３と、四番目の筒状壁６４との間の隙間は、酸化剤ガス流路６８として形成されている。
【００４３】
断熱空間６５は、上述の気化部４０の断熱空間４５と連通している。図４において、断熱空間６５は、空洞とされているが、この断熱空間６５には、断熱材６９が充填されても良い。燃焼排ガス流路６６の下端部は、後述する燃焼部９０に形成された燃焼室９４（図５参照）と連通されている。燃焼排ガス流路６６は、鉛直方向下側を上流側として形成されており、この燃焼排ガス流路６６には、後述する燃焼部９０から排出された燃焼排ガス１６６が鉛直方向下側から上側に流れる。
【００４４】
＜混合部及び分散部＞
改質部６０の上端部には、鉛直方向上側に延長された混合部８０が形成されている。この混合部８０は、気化部４０と改質部６０との間、すなわち、より具体的には、改質部６０の上側且つ気化部４０の下端部の径方向外側に位置する。気化部４０の下端部における周方向の一部からは、連結管８１が径方向外側に延びている。連結管８１は、混合部８０における気化部４０との接続部を構成しており、この連結管８１の内側は、水平方向に貫通するオリフィス８２として形成されている。連結管８１（オリフィス８２）は、気化流路４６の径方向外側に位置しており、気化流路４６の下端部と連通する。混合部８０は、連結管８１（オリフィス８２）を一つのみ有する。混合部８０には、オリフィス８２に対する改質流路６７側（径方向外側）に位置しオリフィス８２と対向する対向壁部８６が設けられている。
【００４５】
改質流路６７の入口（上端）は、混合部８０及び連結管８１を介して気化流路４６と連通されている。改質流路６７は、鉛直方向上側を上流側として形成されており、この改質流路６７には、気化流路４６から供給された原燃料ガス１６２が鉛直方向上側から下側に流れる。
【００４６】
この改質流路６７の入口には、改質流路６７の周方向に沿って環状に形成された仕切板８３が設けられている。この仕切板８３には、周方向に一定の間隔を空けて複数のオリフィス８４が形成されている。この複数のオリフィス８４は、仕切板８３の板厚方向（鉛直方向）に貫通しており、改質流路６７には、複数のオリフィス８４を通じて原燃料ガス１６２が流入する。この仕切板８３は、鉛直方向に間隔を空けて複数設けられていても良い。
【００４７】
この改質流路６７の入口の径方向外側には、酸化剤ガス流路６８が位置している。改質流路６７には、原燃料ガス１６２から燃料ガス（改質ガス）を生成するための改質触媒層７０が改質流路６７の周方向及び軸方向の全長に亘って設けられている。改質触媒層７０には、例えば、活性金属としてニッケル、ルテニウム、白金、ロジウム等の金属を担持した粒状触媒又はハニカム触媒等が用いられる。
【００４８】
酸化剤ガス流路６８の上端部は、上述の気化部４０に形成された酸化剤ガス流路４８と連通されている。この酸化剤ガス流路６８は、鉛直方向上側を上流側として形成されており、この酸化剤ガス流路６８には、気化部４０の酸化剤ガス流路４８から供給された酸化剤ガス１６４が鉛直方向上側から下側に流れる。
【００４９】
＜燃焼部＞
図５に示されるように、燃焼部９０は、上述の改質部６０の下方に設けられており、周壁部９１と、点火電極９２と、隔壁部９３とを有する。周壁部９１は、上述の改質部６０を構成する四重の筒状壁６１〜６４のうち最も内側の筒状壁６１を除く残りの筒状壁６２〜６４に一体に形成されている。
【００５０】
つまり、四重の筒状壁６１〜６４のうち最も内側の筒状壁６１を除く残りの筒状壁６２〜６４は、内側の筒状壁６１に対して下方に延びている。そして、この筒状部６２〜６４における下方に延びた延長部分は、燃焼部９０の周壁部９１として形成されている。この周壁部９１を構成する三重の筒状壁６２〜６４において、筒状壁６２と筒状壁６３との間には、改質部６０の改質流路６７が延長して形成されており、筒状壁６３と筒状壁６４との間には、改質部６０の酸化剤ガス流路６８が延長して形成されている。
【００５１】
この周壁部９１は、燃料電池セルスタック１０の上方に位置すると共に、後述する燃料電池セルスタック１０の周囲を囲う予熱部１００と同軸上に設けられている。この周壁部９１の内側は、燃焼室９４として形成されており、この燃焼室９４は、後述する予熱部１００の内側空間１０４と、上述の改質部６０の燃焼排ガス流路６６とに連通されている。
【００５２】
周壁部９１の内側には、テーパ部９５が設けられている。このテーパ部９５は、上述の改質部６０を構成する四重の筒状壁６１〜６４のうち最も内側の筒状壁６１の下端部に一体に形成されている。このテーパ部９５は、改質部６０の側から燃焼部９０の側に突出すると共に、燃焼部９０の側から改質部６０の側に向かうに従って拡径するテーパ状に形成されている、
【００５３】
点火電極９２は、テーパ部９５の先端部（下端部）から燃焼室９４内に突出されており、燃焼室９４の中心部に配置されている。この点火電極９２は、燃料電池セルスタック１０の上方に燃料電池セルスタック１０と離間して設けられている。上述の気化部４０及び改質部６０を構成する一番目の管材２１の内側には、パイプ１５０が収容され、このパイプ１５０の内側には、点火電極９２と接続され碍子で絶縁された導電部１５１が挿入されている。
【００５４】
隔壁部９３は、周壁部９１の内周面に沿って環状に形成されている。この隔壁部９３は、点火電極９２と燃料電池セルスタック１０との間に開口する絞り孔９６を有している。この絞り孔９６には、燃料電池セルスタック１０から排出されたスタック排ガス１６５が通過する。絞り孔９６を通過したスタック排ガス１６５は、点火電極９２とパイプ１５０等との間に形成されるスパークによって燃焼される。燃焼室９４にて発生した燃焼排ガス１６６は、上方（燃料電池セルスタック１０と反対側）に排出され、テーパ部９５に沿って改質部６０の燃焼排ガス流路６６に流入する。
【００５５】
＜予熱部＞
予熱部１００（収容部）は、上述の燃焼部９０の下方に設けられた二重の筒状壁１０１，１０２によって構成されている。二重の筒状壁１０１，１０２のうち内側の筒状壁１０１は、五番目の管材２５の下部によって構成され、二重の筒状壁１０１，１０２のうち外側の筒状壁１０２は、六番目の管材２６の下部によって構成されている。
【００５６】
この予熱部１００は、燃料電池セルスタック１０の周囲に設けられており、燃料電池セルスタック１０を収容している。予熱部１００の内側には、内側空間１０４が形成されており、予熱部１００を構成する二重の筒状壁１０１，１０２の間には、予熱流路１０５が形成されている。
【００５７】
この予熱流路１０５には、予熱部１００の軸方向回りに螺旋状に形成された螺旋凸部１０６が設けられており、この螺旋凸部１０６により、予熱流路１０５は、予熱部１００の軸方向回りに螺旋状に形成されている。螺旋凸部１０６は、予熱流路１０５を形成する筒状壁１０１，１０２の両方と接触しており、筒状壁１０１及び筒状壁１０２の間に介在するスペーサの役割を果たしている。
【００５８】
この予熱流路１０５の上端部は、上述の改質部６０の酸化剤ガス流路６８と連通され、予熱流路１０５の下端部は、図２に示される底壁部３４と底壁部３５との間に形成された導入路３７を通じて燃料電池セルスタック１０の酸化剤ガス取入口１５と連通されている。図５に示されるように、予熱流路１０５は、鉛直方向上側を上流側として形成されており、この予熱流路１０５には、改質部６０の酸化剤ガス流路６８を通じて供給された酸化剤ガス１６４が鉛直方向上側から下側に流れる。
【００５９】
また、予熱部１００の内側には、上述の改質流路６７と、燃料電池セルスタック１０の燃料ガス取入口１６（図２参照）とを接続する燃料ガス配管１０７が設けられている。上述の隔壁部９３の外周部には、水平方向に延在する仕切板９７が一体に形成されており、この仕切板９７には、鉛直方向に貫通するオリフィス９８が仕切板９７の周方向に間隔を空けて複数形成されている。改質流路６７と燃料ガス配管１０７の内側とは、オリフィス９８を通じて連通されている。
【００６０】
＜熱交換部＞
図３に示されるように、熱交換部１１０は、上述の改質部６０及び気化部４０の周囲に設けられた三重の筒状壁１１１〜１１３によって構成されている。三重の筒状壁１１１〜１１３における内側の筒状壁１１１は、七番目の管材２７によって構成され、三重の筒状壁１１１〜１１３における中央の筒状壁１１２は、八番目の管材２８によって構成され、三重の筒状壁１１１〜１１３における外側の筒状壁１１３は、九番目の管材２９によって構成されている。
【００６１】
この熱交換部１１０を構成する三重の筒状壁１１１〜１１３は、互いの間に隙間を有している。そして、内側の筒状壁１１１と中央の筒状壁１１２との間には、酸化剤ガス流路１１７が形成され、外側の筒状壁１１３と中央の筒状壁１１２との間には、燃焼排ガス流路１１８が形成されている。
【００６２】
酸化剤ガス流路１１７には、熱交換部１１０の軸方向回りに螺旋状に形成された螺旋凸部１２０（螺旋形成部）が設けられており、この螺旋凸部１２０により、酸化剤ガス流路１１７は、熱交換部１１０の軸方向回りに螺旋状に形成されている。同様に、燃焼排ガス流路１１８には、熱交換部１１０の軸方向回りに螺旋状に形成された螺旋凸部１２１（螺旋形成部）が設けられており、この螺旋凸部１２１により、燃焼排ガス流路１１８は、熱交換部１１０の軸方向回りに螺旋状に形成されている。
【００６３】
酸化剤ガス流路１１７及び燃焼排ガス流路１１８は、気化流路４６よりも螺旋のピッチが大きくなっている。螺旋凸部１２０は、酸化剤ガス流路１１７を形成する筒状壁１１１，１１２の両方と接触しており、筒状壁１１１及び筒状壁１１２の間に介在するスペーサの役割を果たしている。同様に、螺旋凸部１２１は、燃焼排ガス流路１１８を形成する筒状壁１１２，１１３の両方と接触しており、筒状壁１１２及び筒状壁１１３の間に介在するスペーサの役割を果たしている。
【００６４】
酸化剤ガス流路１１７の下端部には、容器２０の径方向外側に延びる酸化剤ガス供給管１２２（図２参照）が接続されている。連結部３１と連結部３２との間の隙間は、容器２０の径方向に延びる連結流路３８として形成されており、酸化剤ガス流路１１７の上端部は、連結流路３８を介して上述の気化部４０に形成された酸化剤ガス流路４８と連通されている。酸化剤ガス流路１１７は、鉛直方向下側を上流側として形成されており、この酸化剤ガス流路１１７には、酸化剤ガス供給管１２２（図２参照）から供給された酸化剤ガス１６４が鉛直方向下側から上側に流れる。
【００６５】
また、連結部３２と連結部３３との間の隙間は、容器２０の径方向に延びる連結流路３９として形成されており、燃焼排ガス流路１１８の上端部は、連結流路３９を介して上述の気化部４０に形成された燃焼排ガス流路４７と連通されている。この燃焼排ガス流路１１８の下端部には、容器２０の径方向外側に延びるガス排出管１２３（図２参照）が接続されている。燃焼排ガス流路１１８は、鉛直方向上側を上流側として形成されており、この燃焼排ガス流路１１８には、気化部４０の燃焼排ガス流路４７から供給された燃焼排ガス１６６が鉛直方向上側から下側に流れる。
【００６６】
＜断熱層＞
図２に示されるように、改質部６０及び気化部４０と、熱交換部１１０とは、容器２０の径方向に離間しており、この改質部６０及び気化部４０と熱交換部１１０との間には、円筒状の断熱層１３０が介在されている。この断熱層１３０は、気化部４０及び改質部６０を外側から覆っている。
【００６７】
＜断熱材＞
断熱材１４０は、円筒状の本体部１４１と、円盤状の上部１４２及び下部１４３とを有し、容器２０を覆っている。つまり、本体部１４１は、容器２０の周囲に設けられており、容器２０を外側から覆っている。上部１４２は、本体部１４１を鉛直方向上側から覆うと共に、容器２０の上部の周囲に設けられている。上部１４２は、鉛直方向上側から固定部材１４４により固定されている。下部１４３は、容器２０及び本体部１４１を鉛直方向下側から覆っている。この断熱材１４０の表面は、被覆シート１４５によって覆われている。
【００６８】
次に、第一実施形態に係る燃料電池モジュールＭ１の動作について説明する。
【００６９】
図２に示される原燃料供給管５０を通じて図３に示される気化流路４６に原燃料１６１（炭化水素系燃料に改質用の水が混合されたもの）が供給されると、この原燃料１６１は、螺旋状に形成された気化流路４６を鉛直方向上側から下側へ流れる。このとき、気化部４０では、燃焼部９０（図５参照）から排出された燃焼排ガス１６６が燃焼排ガス流路４７を鉛直方向下側から上側に流れる。気化流路４６に隣接する燃焼排ガス流路４７に燃焼排ガス１６６が流れると、気化流路４６を流れる原燃料１６１と燃焼排ガス１６６との間で熱交換される（燃焼排ガス１６６から原燃料１６１に気化熱が与えられる）。そして、気化流路４６では、原燃料１６１が気化されて原燃料ガス１６２（図４参照）が生成される。
【００７０】
図４に示されるように、気化流路４６で気化された原燃料ガス１６２は、連結管８１の内側に形成されたオリフィス８２を通り、改質部６０の上方に形成された混合部８０の内側空間８５に流入する。このとき、気化流路４６で気化された原燃料ガス１６２は、連結管８１の内側のオリフィス８２を通過する際に流速が高められて噴流となり、混合部８０における径方向外側の対向壁部８６に衝突する。そして、原燃料ガス１６２が対向壁部８６に衝突することにより乱流が生じ、原燃料ガス１６２に含まれる炭化水素系ガス及び水蒸気が混合される。
【００７１】
このようにして混合された原燃料ガス１６２は、対向壁部８６に衝突することにより径方向外側から鉛直方向下側に向きを変え、改質流路６７の入口に形成された複数のオリフィス８４を通じて改質流路６７に流入する。複数のオリフィス８４は、改質流路６７の周方向に一定の間隔を空けて並んでいるので、この複数のオリフィス８４を通過することで、改質流路６７には、原燃料ガス１６２が周方向に分散して流入する。
【００７２】
また、このとき、改質部６０では、燃焼部９０（図５参照）から排出された燃焼排ガス１６６が燃焼排ガス流路６６を鉛直方向下側から上側に流れる。改質流路６７に隣接する燃焼排ガス流路６６に燃焼排ガス１６６が流れると、改質流路６７を流れる原燃料ガス１６２と燃焼排ガス１６６との間で熱交換される。そして、改質流路６７では、燃焼排ガス１６６の熱を利用して改質触媒層７０により原燃料ガス１６２から燃料ガス１６３（改質ガス）が生成される。
【００７３】
改質流路６７にて生成された燃料ガス１６３は、図５に示されるように、仕切板９７に形成されたオリフィス９８を通過し、燃料ガス配管１０７の内側に流入する。そして、この燃料ガス１６３は、燃料ガス配管１０７を通じて燃料電池セルスタック１０の燃料ガス取入口１６（図２参照）に供給される。
【００７４】
一方、このとき、図３に示される熱交換部１１０では、酸化剤ガス供給管１２２（図２参照）を通じて酸化剤ガス流路１１７に酸化剤ガス１６４が供給される。この酸化剤ガス１６４は、螺旋状に形成された酸化剤ガス流路１１７を鉛直方向下側から上側に流れる。このとき、熱交換部１１０では、燃焼部９０（図５参照）から排出された燃焼排ガス１６６が燃焼排ガス流路１１８を鉛直方向上側から下側に流れる。この燃焼排ガス１６６は、図２に示されるガス排出管１２３を通じて燃料電池モジュールＭ１の外部に排出される。
【００７５】
図３に示されるように、酸化剤ガス流路１１７に隣接する燃焼排ガス流路１１８に燃焼排ガス１６６が流れると、酸化剤ガス流路１１７を流れる酸化剤ガス１６４と燃焼排ガス１６６との間で熱交換される。そして、燃料電池モジュールＭ１の外部へ排出される燃焼排ガス１６６の温度が低下され、燃料電池モジュールＭ１の外部への放熱が抑制される。一方、酸化剤ガス１６４は、燃焼排ガス１６６の熱を吸収し、予熱される。この熱交換部１１０にて予熱された酸化剤ガス１６４は、連結流路３８を通じて気化部４０の酸化剤ガス流路４８に流入し、その後、気化部４０の酸化剤ガス流路４８及び改質部６０の酸化剤ガス流路６８（図４，図５参照）を鉛直方向上側から下側に流れる。
【００７６】
図４に示される気化部４０では、上述の通り、燃焼部９０（図５参照）から排出された燃焼排ガス１６６が燃焼排ガス流路４７を鉛直方向下側から上側に流れる。酸化剤ガス流路４８に隣接する燃焼排ガス流路４７に燃焼排ガス１６６が流れると、酸化剤ガス流路４８を流れる酸化剤ガス１６４と燃焼排ガス１６６との間で熱交換され、酸化剤ガス１６４がさらに予熱される。
【００７７】
同様に、改質部６０では、燃焼部９０（図５参照）から排出された燃焼排ガス１６６が燃焼排ガス流路６６を鉛直方向下側から上側に流れる。改質流路６７を挟んだ酸化剤ガス流路６８と反対側の燃焼排ガス流路６６に燃焼排ガス１６６が流れると、酸化剤ガス流路６８を流れる酸化剤ガス１６４と燃焼排ガス１６６とが改質流路６７（改質触媒層７０）を介して熱交換し、このことによっても、酸化剤ガス１６４が予熱される。
【００７８】
このように酸化剤ガス流路４８，６８を流れることで予熱された酸化剤ガス１６４は、図５に示される予熱流路１０５に流入し、この螺旋状に形成された予熱流路１０５を鉛直方向上側から下側に流れる。この予熱流路１０５を流れる酸化剤ガス１６４は、燃料電池セルスタック１０の熱によってさらに予熱される。そして、この予熱流路１０５にて予熱された酸化剤ガス１６４は、燃料電池セルスタック１０の酸化剤ガス取入口１５（図２参照）に供給される。
【００７９】
以上のようにして、図２に示される燃料電池セルスタック１０の燃料ガス取入口１６に燃料ガスが供給されると共に、燃料電池セルスタック１０の酸化剤ガス取入口１５に酸化剤ガスが供給されると、燃料電池セルスタック１０では、各セル１２において、酸化剤ガスと燃料ガスとの電気化学反応により発電する。また、各セル１２は、発電に伴い発熱する。
【００８０】
図５に示されるように、燃料電池セルスタック１０からは、燃料極排ガス及び空気極排ガスを含むスタック排ガス１６５が排出される。この燃料電池セルスタック１０から排出されたスタック排ガス１６５は、隔壁部９３に形成された絞り孔９６を通じて燃焼部９０の内側に形成された燃焼室９４に流入する。このとき、燃料極排ガス及び空気極排ガスを含むスタック排ガス１６５は、絞り孔９６を通過することで混合される。
【００８１】
この燃焼室９４に流入したスタック排ガス１６５には、各セル１２において未反応の水素及び酸素が含まれており、この水素を含むスタック排ガス１６５は、点火電極９２とパイプ１５０等との間に形成されるスパークによって燃焼される。点火電極９２は、燃料電池セルスタック１０と鉛直方向に離間しているため、スタック排ガス１６５は、燃料電池セルスタック１０から離れた位置で燃焼される。
【００８２】
そして、このようにして燃焼室９４においてスタック排ガス１６５が燃焼されると、燃焼室９４にて燃焼排ガス１６６が発生する。この燃焼室９４にて発生した燃焼排ガス１６６は、上方（燃料電池セルスタック１０と反対側）に排出され、テーパ部９５に沿って改質部６０の燃焼排ガス流路６６に流入する。また、この燃焼部９０から排出され改質部６０の燃焼排ガス流路６６に流入した燃焼排ガス１６６は、上述の通り、改質部６０の燃焼排ガス流路６６、気化部４０の燃焼排ガス流路４７（図４参照）、連結流路３９及び熱交換部１１０の燃焼排ガス流路１１８（図３参照）を流れた後、図２に示されるガス排出管１２３を通じて燃料電池モジュールＭ１の外部に排出される。
【００８３】
次に、第一実施形態の作用及び効果について説明する。
【００８４】
以上詳述したように、第一実施形態に係る燃料電池モジュールＭ１によれば、予熱部１００と、燃焼部９０の周壁部９１と、改質部６０と、気化部４０とは、互いに同軸上に設けられている。また、改質部６０は、四重の筒状壁６１〜６４によって構成され、この四重の筒状壁６１〜６４に、改質部６０における断熱空間６５、燃焼排ガス流路６６、改質流路６７、及び、酸化剤ガス流路６８が形成されている。同様に、気化部４０は、四重の筒状壁４１〜４４によって構成され、この四重の筒状壁４１〜４４に、気化部４０における断熱空間４５、気化流路４６、燃焼排ガス流路４７、及び、酸化剤ガス流路４８が形成されている。さらに、改質部６０及び気化部４０の周囲に設けられた熱交換部１１０は、三重の筒状壁１１１〜１１３によって構成され、この三重の筒状壁１１１〜１１３に、熱交換部１１０における酸化剤ガス流路１１７及び燃焼排ガス流路１１８が形成されている。以上より、燃料電池モジュールＭ１が径方向に拡がることを抑制できるので、この燃料電池モジュールＭ１によれば、径方向に小型化することができる。
【００８５】
しかも、上述の通り、改質部６０及び気化部４０は、四重の筒状壁によって構成され、熱交換部１１０は、三重の筒状壁によって構成されている。従って、改質部６０、気化部４０、及び、熱交換部１１０における構造を簡素化できると共に、改質部６０、気化部４０、及び、熱交換部１１０の組立が容易になるので、燃料電池モジュールＭ１を低コスト化することができる。
【００８６】
このように、第一実施形態に係る燃料電池モジュールＭ１によれば、低コスト化と径方向の小型化とを両立することができる。
【００８７】
また、図５に示されるように、改質部６０は、燃焼部９０の直上に設けられているので、改質部６０の燃焼排ガス流路６６には、燃焼部９０から排出された直後の温度の高い燃焼排ガス１６６が流入する。この燃焼排ガス１６６は、四重の筒状壁６１〜６４のうち最も内側の筒状壁６１に案内されながら燃焼排ガス流路６６を流れる。また、改質部６０では、燃焼排ガス流路６６の外周に改質流路６７が形成されている。これにより、温度の高い燃焼排ガス１６６で改質触媒層７０を直接的に加熱することができるので、改質触媒層７０の転化率を向上させることができる。
【００８８】
また、改質部６０の燃焼排ガス流路６６の内側には、断熱空間６５が形成されている。従って、燃焼排ガス流路６６の外周に形成された改質流路６７については、径方向の厚さを薄くすることで、容積に対して伝熱面積を大きく確保することができる。これにより、改質部６０を径方向及び軸方向に小型化することができる。
【００８９】
また、図４に示されるように、改質流路６７の入口の径方向外側には、酸化剤ガス流路６８が位置する。従って、酸化剤ガス流路６８を流れる酸化剤ガス１６４により、改質流路６７の入口付近が冷却されるので、改質流路６７に流入する原燃料ガス１６２の温度を下げることができる。これにより、改質触媒層７０における炭素析出（コーキング）の発生を抑制することができる。
【００９０】
また、改質部６０において、酸化剤ガス流路６８は、鉛直方向上側を上流側として形成されており、この酸化剤ガス流路６８には、酸化剤ガス１６４が鉛直方向上側から下側に流れる。従って、燃料電池セルスタック１０を急冷させずに所定の温度に維持することができる。
【００９１】
また、改質部６０において、燃焼排ガス流路６６は、鉛直方向下側を上流側として形成されており、この燃焼排ガス流路６６には、燃焼排ガス１６６が鉛直方向下側から上側に流れる。一方、改質流路６７は、鉛直方向上側を上流側として形成されており、この改質流路６７には、気化流路４６から供給された原燃料ガス１６２が鉛直方向上側から下側に流れる。従って、放熱側の燃焼排ガス１６６の流れと、受熱側の原燃料ガス１６２の流れとが逆向きになるので、燃焼排ガス１６６と原燃料ガス１６２との熱交換効率を向上させることができる。
【００９２】
また、改質触媒層７０は、改質流路６７の周方向に亘って設けられている。これにより、改質触媒層７０の容積が拡大されるので、改質触媒層７０による燃料ガス１６３の生成効率を向上させることができる。
【００９３】
また、図５に示されるように、燃焼室９４に設けられた点火電極９２は、燃料電池セルスタック１０の上方に燃料電池セルスタック１０と離間して設けられている。従って、燃料電池セルスタック１０から排出され燃焼室９４に流入したスタック排ガス１６５を、燃料電池セルスタック１０から離れた位置で燃焼させることができる。これにより、スタック排ガス１６５の燃焼に伴って燃料電池セルスタック１０の上部が加熱されることを抑制することができる。この結果、燃料電池セルスタック１０の上部と下部とで温度差が生じることを抑制することができる。
【００９４】
また、燃焼部９０には、隔壁部９３が設けられており、この隔壁部９３には、点火電極９２と燃料電池セルスタック１０との間に開口する絞り孔９６が形成されている。従って、燃料極排ガス及び空気極排ガスを含むスタック排ガス１６５が絞り孔９６を通過することにより、スタック排ガス１６５を混合させることができる。これにより、スタック排ガス１６５を燃焼室９４において効率良く燃焼させることができる。
【００９５】
また、改質部６０を構成する四重の筒状壁６１〜６４のうち最も内側の筒状壁６１には、改質部６０の側から燃焼部９０の側に突出するテーパ部９５が形成されている。このテーパ部９５は、燃焼部９０の側から改質部６０の側に向かうに従って拡径する。従って、点火電極９２のスパークによりスタック排ガス１６５が燃焼され燃焼排ガス１６６が発生したときには、この燃焼排ガス１６６をテーパ部９５に沿わせて改質部６０の燃焼排ガス流路６６に円滑に流入させることができる。
【００９６】
また、改質部６０を構成する四重の筒状壁６１〜６４のうち最も内側の筒状壁６１を除く残りの筒状壁６２〜６４は、内側の筒状壁６１に対して下方に延びている。そして、この筒状部６２〜６４における下方に延びた延長部分が、燃焼部９０の周壁部９１として形成されている。従って、燃焼部９０の構成を簡素化することができる。
【００９７】
また、燃料電池セルスタック１０の周囲には、二重の筒状壁１０１，１０２によって構成された予熱部１００が設けられている。この予熱部１００を構成する二重の筒状壁１０１，１０２の間には、予熱流路１０５が形成されており、この予熱流路１０５を流れる酸化剤ガス１６４は、燃料電池セルスタック１０の熱で予熱される。従って、燃料電池セルスタック１０に供給される酸化剤ガス１６４を、燃料電池セルスタック１０の熱を利用して効率的に予熱することができる。また、燃料電池セルスタック１０の熱を、予熱流路１０５を流れる酸化剤ガス１６４で吸収することにより燃料電池セルスタック１０の放熱を遮断することができるので、燃料電池モジュールＭ１の発電効率を向上させることができる。
【００９８】
特に、予熱流路１０５は、予熱部１００の軸方向回りに螺旋状に形成されている。これにより、予熱流路１０５の全長が増加するので、燃料電池セルスタック１０の熱を、予熱流路１０５を流れる酸化剤ガス１６４でより効率的に吸収することができる。さらに、予熱流路１０５が螺旋状に形成されることにより、予熱流路１０５の温度が周方向にばらつくことを抑制することができ、燃料電池セルスタック１０の温度を均一に保つことができる。
【００９９】
また、予熱部１００の下端部には、互いの間に隙間を有する二重の底壁部３４，３５が設けられており、この二重の底壁部３４，３５の間には、予熱流路１０５と、燃料電池セルスタック１０の酸化剤ガス取入口１５とを接続する導入路３７が形成されている。従って、予熱流路１０５と、燃料電池セルスタック１０の酸化剤ガス取入口１５とを接続する構造を簡素化することができるので、コストダウンすることができる。さらに、燃料電池セルスタック１０の熱を導入路３７を流れる酸化剤ガス１６４で吸収することにより、燃料電池セルスタック１０の下部からの放熱を遮断することができるので、燃料電池モジュールＭ１の発電効率を向上させることができる。
【０１００】
また、予熱部１００の内側には、改質流路６７と、燃料電池セルスタック１０の燃料ガス取入口とを接続する燃料ガス配管１０７が設けられている。これにより、改質流路６７と燃料電池セルスタック１０の燃料ガス取入口とを接続する構造を簡素化することができるので、このことによっても、コストダウンすることができる。
【０１０１】
また、図２に示されるように、改質部６０及び気化部４０と熱交換部１１０との間には、断熱層１３０が介在されている。従って、この断熱層１３０により改質部６０及び気化部４０から熱交換部１１０への伝熱を抑制することができるので、改質部６０及び気化部４０における熱効率を向上させることができる。
【０１０２】
また、図４に示されるように、気化部４０及び改質部６０の内側には、断熱空間４５，６５が設けられているので、この断熱空間４５，６５によっても気化部４０及び改質部６０の熱効率を向上させることができる。ここで、断熱空間４５，６５が空洞であると、燃料電池モジュールＭ１の構造を簡素化することができる。一方、断熱空間４５，６５に断熱材４９，６９（図３，図４参照）が充填されると、気化部４０及び改質部６０の熱効率をより向上させることができる。
【０１０３】
また、気化流路４６の内側には、断熱空間４５が形成されている。従って、気化流路４６については、径方向の厚さを薄くすることで、容積に対して伝熱面積を大きく確保することができる。これにより、気化部４０を径方向及び軸方向に小型化しつつ、気化流路４６において原燃料を安定して気化させることができる。
【０１０４】
また、気化部４０では、燃焼排ガス流路４７の径方向の両側に気化流路４６及び酸化剤ガス流路４８が形成されている。従って、燃焼排ガス流路４７の熱を、気化流路４６と酸化剤ガス流路４８とに振り分けることができる。これにより、気化流路４６の過昇温を抑制することができる。
【０１０５】
また、気化流路４６は、鉛直方向上側を上流側として形成されており、この気化流路４６には、原燃料１６１が鉛直方向上側から下側に流れる。従って、気化流路４６にて液溜りが生じることを抑制することができる。また、気化流路４６では、原燃料１６１に含まれる改質用の水が水滴状態（表面積が大きい状態）で流れるので、この改質用の水を徐々に気化させることができる。
【０１０６】
また、気化流路４６は、螺旋凸部５１によって気化部４０の軸方向回りに螺旋状に形成されている。従って、気化流路４６が螺旋状に形成された分、原燃料１６１が気化流路４６を流れる時間を長くすることができると共に、気化流路４６における圧力損失も増えるので、気化部４０における気化の促進及び安定性を確保することができる。
【０１０７】
また、熱交換部１１０では、内側の筒状壁１１１と中央の筒状壁１１２との間に酸化剤ガス流路１１７が形成され、外側の筒状壁１１３と中央の筒状壁１１２との間に燃焼排ガス流路１１８が形成されている。従って、酸化剤ガス流路１１７を流れる酸化剤ガス１６４と、燃焼排ガス流路１１８を流れる燃焼排ガス１６６との間で熱交換されるので、酸化剤ガス１６４によって燃焼排ガス１６６の熱を吸収することができ、酸化剤ガス１６４を予熱することができる。これにより、熱効率を向上させることができる。
【０１０８】
また、改質部６０及び気化部４０の周囲に熱交換部１１０が設けられることにより、改質部６０及び気化部４０における燃焼排ガス流路４７，６６を流れる高温の燃焼排ガス１６６から燃料電池モジュールＭ１の外部への放熱を抑制することができる。また、この燃焼排ガス流路４７，６６を流れる高温の燃焼排ガス１６６の熱を、熱交換部１１０の酸化剤ガス流路１１７を流れる酸化剤ガス１６４で吸収することができるので、熱効率をより向上させることができる。
【０１０９】
また、熱交換部１１０の内側に気化部４０及び改質部６０が設けられているため、熱交換部１１０を直径が大きく且つ径方向の厚さが薄い構造とすることで、この熱交換部１１０については、容積に対して伝熱面積を大きく確保することができる。これにより、熱交換部１１０における熱交換効率を向上させることができると共に、熱交換部１１０を径方向及び軸方向に小型化することができる。
【０１１０】
また、酸化剤ガス流路１１７及び燃焼排ガス流路１１８は、熱交換部１１０の軸方向回りに螺旋状に形成されている。これにより、酸化剤ガス流路１１７及び燃焼排ガス流路１１８の全長が増加するので、酸化剤ガス流路１１７を流れる酸化剤ガス１６４と、燃焼排ガス流路１１８を流れる燃焼排ガス１６６との間の熱交換効率を向上させることができる。
【０１１１】
また、酸化剤ガス流路１１７及び燃焼排ガス流路１１８は、螺旋凸部１２０，１２１によって熱交換部１１０の軸方向回りに螺旋状に形成されている。従って、酸化剤ガス流路１１７及び燃焼排ガス流路１１８が螺旋状に形成された分、酸化剤ガス１６４及び燃焼排ガス１６６が酸化剤ガス流路１１７及び燃焼排ガス流路１１８を流れる時間を長くすることができる。これにより、酸化剤ガス流路１１７を流れる酸化剤ガス１６４と、燃焼排ガス流路１１８を流れる燃焼排ガス１６６との間の熱交換効率をより一層向上させることができる。
【０１１２】
しかも、酸化剤ガス流路１１７及び燃焼排ガス流路１１８は、気化流路４６よりも螺旋のピッチが大きいので、流量が多い酸化剤ガス流路１１７及び燃焼排ガス流路１１８における圧損を気化流路４６と同程度に低減することができる。これにより、酸化剤ガス流路１１７及び燃焼排ガス流路１１８における流体の圧送動力を低減することができる。
【０１１３】
また、酸化剤ガス流路１１７における酸化剤ガス１６４の流れと、燃焼排ガス流路１１８における燃焼排ガス１６６の流れとは、熱交換部１１０の軸方向に逆向きである。このように、受熱側の酸化剤ガス１６４の流れと、放熱側の燃焼排ガス１６６の流れとが逆向きであると、酸化剤ガス１６４と燃焼排ガス１６６との熱交換効率を向上させることができる。
【０１１４】
また、熱交換部１１０は、内側の筒状壁１１１と中央の筒状壁１１２との間に酸化剤ガス流路１１７を有すると共に、外側の筒状壁１１３と中央の筒状壁１１２との間に燃焼排ガス流路１１８を有する。これにより、気化部４０の酸化剤ガス流路４８と熱交換部１１０の酸化剤ガス流路１１７とを繋ぐ連結流路３８と、気化部４０の燃焼排ガス流路４７と熱交換部１１０の燃焼排ガス流路１１８とを繋ぐ連結流路３９とが鉛直方向に並ぶので、気化部４０と熱交換部１１０とを連結する連結部の構造を簡素化することができる。
【０１１５】
また、図４に示されるように、改質部６０を構成する四重の筒状壁６１〜６４のうち最も内側に位置する筒状壁６１と、気化部４０を構成する四重の筒状壁４１〜４４のうち最も内側に位置する筒状壁４１とは、一体に形成されている。さらに、改質部６０を構成する四重の筒状壁６１〜６４のうち最も外側に位置する筒状壁６４と、気化部４０を構成する四重の筒状壁４１〜４４のうち最も外側に位置する筒状壁４４とは、一体に形成され、改質部６０を構成する四重の筒状壁６１〜６４のうち外側から二番目の筒状壁６３と、気化部４０を構成する四重の筒状壁４１〜４４のうち外側から二番目の筒状壁４３とは、一体に形成されている。これにより、部品点数の増加を抑制することができると共に、改質部６０及び気化部４０の構造を簡素化することができる。
【０１１６】
また、気化部４０を構成する四重の筒状壁４１〜４４のうち最も外側に位置する筒状壁４４と、熱交換部１１０を構成する三重の筒状壁１１１〜１１３のうちの内側の筒状壁１１１とは、連結部３１（第一連結部）を介して一体に形成されている。さらに、気化部４０を構成する四重の筒状壁４１〜４４のうち外側から二番目の筒状壁４３と、熱交換部１１０を構成する三重の筒状壁１１１〜１１３のうちの中央の筒状壁１１２とは、連結部３２（第二連結部）を介して一体に形成されている。これにより、部品点数の増加を抑制することができると共に、気化部４０及び熱交換部１１０の構造を簡素化することができる。
【０１１７】
また、図５に示されるように、予熱部１００を構成する二重の筒状壁１０１，１０２のうち外側の筒状壁１０２と、改質部６０を構成する四重の筒状壁６１〜６４のうち最も外側に位置する筒状壁６４とは、一体に形成され、予熱部１００を構成する二重の筒状壁１０１，１０２のうち内側の筒状壁１０１と、改質部６０を構成する四重の筒状壁６１〜６４のうち外側から二番目の筒状壁６３とは、一体に形成されている。これにより、部品点数の増加を抑制することができると共に、改質部６０及び予熱部１００の構造を簡素化することができる。
【０１１８】
また、収容部１００、燃焼部９０の周壁部９１、改質部６０、気化部４０、及び、熱交換部１１０を構成する容器２０は、断熱材１４０によって覆われている。これにより、収容部１００、燃焼部９０の周壁部９１、改質部６０、気化部４０、及び、熱交換部１１０からの放熱を抑制することができるので、熱効率を向上させることができる。
【０１１９】
また、気化流路４６、予熱流路１０５、酸化剤ガス流路１１７、及び、燃焼排ガス流路１１８の各流路に設けられた螺旋凸部５１、１０６、１２０、１２１は、各流路の両側に位置する筒状壁間の間に介在するスペーサの役割を果たしている。従って、この螺旋凸部５１、１０６、１２０、１２１によって各流路の幅を維持することができ、各流路の周方向で温度差が生じることを抑制することができる。
【０１２０】
［第二実施形態］
次に、本発明の第二実施形態について説明する。本発明の第二実施形態は、参考例である。
【０１２１】
図６に示される第二実施形態に係る燃料電池モジュールＭ２は、上述の第一実施形態に係る燃料電池モジュールＭ１に対し、次のように構造が変更されている。
【０１２２】
すなわち、第二実施形態に係る燃料電池モジュールＭ２において、容器２０は、上述の第一実施形態よりも一つ少ない八個の管材２１〜２８により構成されている。一番目の管材２１、五番目の管材２５、及び、六番目の管材２６は、容器２０の上側へ延長されている。七番目の管材２７は、一番目の管材２１における上方への延長部分の外側に設けられており、八番目の管材２８は、七番目の管材２７と五番目の管材２５との間に設けられている。
【０１２３】
七番目の管材２７の下端部は、二番目の管材２２の上端部に固定され、八番目の管材２８の下端部は、三番目の管材２３の上端部に固定されている。八番目の管材２８の上端部は、七番目の管材２７の上端部に固定され、五番目の管材２５の上端部は、八番目の管材２８の上端部に固定され、六番目の管材２６の上端部は、五番目の管材２５の上端部に固定されている。
【０１２４】
熱交換部１１０は、気化部４０の上方に気化部４０と同軸上に設けられており、容器２０の上部に設けられた四重の筒状壁１１１〜１１４によって構成されている。四重の筒状壁１１１〜１１４のうち最も内側に位置する筒状壁１１１は、七番目の管材２７によって構成され、四重の筒状壁１１１〜１１４のうち内側から二番目の筒状壁１１２は、八番目の管材２８によって構成されている。また、四重の筒状壁１１１〜１１４のうち内側から三番目の筒状壁１１３は、五番目の管材２５の上部によって構成され、四重の筒状壁１１１〜１１４のうち最も外側に位置する筒状壁１１４は、六番目の管材２６の上部によって構成されている。
【０１２５】
図７に示されるように、この熱交換部１１０を構成する四重の筒状壁１１１〜１１４は、互いの間に隙間を有しており、この四重の筒状壁１１１〜１１４の内側から外側には、断熱空間１１５、原燃料流路１１６、燃焼排ガス流路１１８、及び、酸化剤ガス流路１１７が順に形成されている。
【０１２６】
つまり、一番目の筒状壁１１１の内側の空間は、断熱空間１１５として形成され、一番目の筒状壁１１１と、二番目の筒状壁１１２との間の隙間は、原燃料流路１１６として形成されている。また、二番目の筒状壁１１２と、三番目の筒状壁１１３との間の隙間は、燃焼排ガス流路１１８として形成され、三番目の筒状壁１１３と、四番目の筒状壁１１１〜１１４との間の隙間は、酸化剤ガス流路１１７として形成されている。図７において、断熱空間１１５は、空洞とされているが、この断熱空間１１５には、断熱材１２４が充填されても良い。
【０１２７】
原燃料流路１１６の上端部には、容器２０の径方向外側に延びる原燃料供給管５０（図６参照）が接続されている。原燃料流路１１６は、鉛直方向上側を上流側として形成されており、この原燃料流路１１６には、原燃料供給管５０から供給された原燃料１６１が鉛直方向上側から下側に流れる。原燃料流路１１６の下端部は、気化流路４６と連通されている。
【０１２８】
気化流路４６の入口（上端）には、気化流路４６の周方向に沿って環状に形成された整流筒１７１が設けられている。この整流筒１７１によって、気化流路４６の入口には、連通路１７２が形成されている。なお、この整流筒１７１は、省かれても良い。
【０１２９】
酸化剤ガス流路１１７の上端部には、容器２０の径方向外側に延びる酸化剤ガス供給管１２２（図６参照）が接続されており、酸化剤ガス流路１１７の下端部は、気化部４０に形成された酸化剤ガス流路４８と連通されている。酸化剤ガス流路１１７は、鉛直方向上側を上流側として形成されており、この酸化剤ガス流路１１７には、酸化剤ガス供給管１２２から供給された酸化剤ガス１６４が鉛直方向上側から下側に流れる。
【０１３０】
燃焼排ガス流路１１８の上端部には、容器２０の径方向外側に延びるガス排出管１２３（図６参照）が接続されており、燃焼排ガス流路１１８の下端部は、気化部４０に形成された燃焼排ガス流路４７と連通されている。燃焼排ガス流路１１８は、鉛直方向下側を上流側として形成されており、この燃焼排ガス流路１１８には、気化部４０の燃焼排ガス流路４７から供給された燃焼排ガス１６６が鉛直方向下側から上側に流れる。
【０１３１】
この第二実施形態に係る燃料電池モジュールＭ２は、熱交換部１１０が気化部４０の上方に設けられた以外は、第一実施形態に係る燃料電池モジュールＭ１と同様の構造であり、第一実施形態に係る燃料電池モジュールＭ１と同様に動作する。また、この第二実施形態に係る燃料電池モジュールＭ２は、第一実施形態に係る燃料電池モジュールＭ１と同様の構造については、この燃料電池モジュールＭ１と同様の作用及び効果を奏する。
【０１３２】
この第二実施形態に係る燃料電池モジュールＭ２のように、熱交換部１１０が気化部４０の上方に設けられていると、五番目の管材２５と六番目の管材２６を容器２０の上側へ直線状に延長することにより、この五番目の管材２５の上部と六番目の管材２６の上部で熱交換部１１０の外周側の壁部を構成することができる。これにより、容器２０の製造が容易になると共に容器２０を構成する管材の数を減らすことができるので、コストダウンすることができる。
【０１３３】
また、熱交換部１１０が気化部４０の上方に気化部４０と同軸上に設けられているので、この燃料電池モジュールＭ２によれば、径方向により一層小型化することができる。
【０１３４】
また、熱交換部１１０では、燃焼排ガス流路１１８と並んで原燃料流路１１６が形成されているので、原燃料流路１１６を流れる原燃料１６１を、燃焼排ガス流路１１８を流れる燃焼排ガス１６６との間で熱交換させることができ、これにより、気化流路４６に投入される原燃料１６１を予熱することができる。
【０１３５】
また、熱交換部１１０では、燃焼排ガス流路１１８の径方向の両側に原燃料流路１１６及び酸化剤ガス流路１１７が形成されている。これにより、燃焼排ガス流路１１８の熱を、原燃料流路１１６と酸化剤ガス流路１１７とに振り分けることができる。つまり、原燃料流路１１６を流れる原燃料１６１を気化させる構造と、酸化剤ガス流路１１７を流れる酸化剤ガス１６４を予熱する構造とを一体化することができる。従って、このことによっても、燃料電池モジュールを径方向により一層小型化することができる。
【０１３６】
また、熱交換部１１０の内側には、断熱空間１１５が形成されている。従って、熱交換部１１０については、径方向の厚さを薄くすることで、容積に対して伝熱面積を大きく確保することができる。これにより、熱交換部１１０を径方向及び軸方向に小型化することができる。
【０１３７】
［第三実施形態］
次に、本発明の第三実施形態について説明する。本発明の第三実施形態は、参考例である。
【０１３８】
図８に示される第三実施形態に係る燃料電池モジュールＭ３は、上述の第二実施形態に係る燃料電池モジュールＭ２に対し、次のように構造が変更されている。
【０１３９】
すなわち、第三実施形態に係る燃料電池モジュールＭ３において、六番目の管材２６は、鉛直方向の長さが縮められており、容器２０の下部にのみ設けられている。そして、予熱部１００を構成する二重の筒状壁１０１，１０２のうち内側の筒状壁１０１は、五番目の管材２５の下部によって構成され、二重の筒状壁１０１のうち外側の筒状壁１０２は、六番目の管材２６によって構成されている。
【０１４０】
六番目の管材２６が容器２０の下部にのみ設けられることにより、図９に示される如く、熱交換部１１０は、三重の筒状壁１１１〜１１３によって構成されている。同様に、気化部４０は、三重の筒状壁４１〜４３によって構成され、図１０に示されるように、改質部６０は、三重の筒状壁６１〜６３によって構成されている。熱交換部１１０、気化部４０、及び、改質部６０がそれぞれ三重の筒状壁によって構成されることにより、熱交換部１１０、気化部４０、及び、改質部６０からは、酸化剤ガス流路がそれぞれ省かれている。
【０１４１】
図１０に示されるように、予熱流路１０５の上端部には、容器２０の径方向外側に延びる酸化剤ガス供給管１２２が接続されている。予熱流路１０５を流れる酸化剤ガスの予熱は、燃料電池セルスタック１０からの輻射、燃料極及び空気極から排出された排ガスからの伝熱、及び、燃焼部９０からの伝熱によって賄われる。
【０１４２】
この第三実施形態に係る燃料電池モジュールＭ３は、熱交換部１１０、気化部４０、及び、改質部６０から酸化剤ガス流路がそれぞれ省かれた以外は、第二実施形態に係る燃料電池モジュールＭ２と同様の構造であり、第二実施形態に係る燃料電池モジュールＭ２と同様に動作する。また、この第三実施形態に係る燃料電池モジュールＭ３は、第二実施形態に係る燃料電池モジュールＭ２と同様の構造については、この燃料電池モジュールＭ１と同様の作用及び効果を奏する。
【０１４３】
この第三実施形態に係る燃料電池モジュールＭ３のように、熱交換部１１０、気化部４０、及び、改質部６０から酸化剤ガス流路がそれぞれ省かれていると、燃焼部９０から排出された燃焼排ガス１６６の熱を酸化剤ガスで吸収することができないが、熱交換部１１０、気化部４０、及び、改質部６０の構造を簡素化することができるので、これにより、コストダウンすることができる。
【０１４４】
また、改質部６０から酸化剤ガス流路が省かれることにより、吸熱反応を示す改質部６０から熱が奪われることを抑制することができるので、熱効率を向上させることができる。
【０１４５】
さらに、気化部４０及び改質部６０から酸化剤ガス流路が省かれることにより、気化部４０及び改質部６０では、燃焼排ガス１６６が改質反応と気化とに熱を奪われるのみであるので、これにより、気化部４０及び改質部６０の伝熱面積を小さくすることができる。
【０１４６】
また、気化部４０及び改質部６０から酸化剤ガス流路が省かれて、予熱流路１０５の上端部に酸化剤ガス供給管１２２が接続されることにより、予熱流路１０５を流れる酸化剤ガス１６４の温度は、気化部４０及び改質部６０に酸化剤ガス流路が設けられている場合に比して低くなる。従って、燃料電池セルスタック１０の放熱を、温度の低い酸化剤ガスで吸収することができるので、燃料電池セルスタック１０から外部への放熱を抑制でき、ひいては、燃料電池モジュールＭ３の発電効率を向上させることができる。
【０１４７】
［第四実施形態］
次に、本発明の第四実施形態について説明する。本発明の第四実施形態は、参考例である。
【０１４８】
図１１に示される第四実施形態に係る燃料電池モジュールＭ４は、上述の第二実施形態に係る燃料電池モジュールＭ２に対し、次のように構造が変更されている。
【０１４９】
すなわち、第四実施形態に係る燃料電池モジュールＭ４において、容器２０は、上述の第二実施形態よりもさらに二つ少ない六個の管材２１〜２６により構成されている。一番目の管材２１は、容器２０の高さ方向の中央部に設けられており、二番目の管材２２及び三番目の管材２３は、一番目の管材２１の上側且つ外側に配置されている。
【０１５０】
三番目の管材２３は、二番目の管材２２よりも上方に延びている。四番目の管材２４は、一番目の管材２１の外側で、且つ、二番目の管材２２及び三番目の管材２３よりも下側に配置されている。五番目の管材２５、及び、六番目の管材２６は、三番目の管材２３及び四番目の管材２４の外側に配置され、容器２０の上端部から下端部に亘って設けられている。
【０１５１】
三番目の管材２３の上端部と、五番目の管材２５の上端部は、容器２０の上端部に設けられた天壁部１８１に固定され、六番目の管材２６の上端部は、五番目の管材２５の上端部に固定されている。
【０１５２】
熱交換部１１０は、三重の筒状壁１１１〜１１３によって構成されている。三重の筒状壁１１１〜１１３における内側の筒状壁１１１は、三番目の管材２３の上部によって構成され、三重の筒状壁１１１〜１１３における中央の筒状壁１１２は、五番目の管材２５の上部によって構成されている。また、三重の筒状壁１１１〜１１３における外側の筒状壁１１３は、六番目の管材２６の上部によって構成されている。
【０１５３】
図１２に示されるように、熱交換部１１０を構成する三重の筒状壁１１１〜１１３は、互いの間に隙間を有しており、この三重の筒状壁１１１〜１１３の内側から外側には、断熱空間１１５、燃焼排ガス流路１１８、及び、酸化剤ガス流路１１７が順に形成されている。
【０１５４】
気化部４０は、四重の筒状壁４１〜４４によって構成されている。四重の筒状壁４１〜４４のうち最も内側に位置する筒状壁４１は、二番目の管材２２によって構成され、四重の筒状壁４１〜４４のうち内側から二番目の筒状壁４２は、三番目の管材２３によって構成されている。また、四重の筒状壁４１〜４４のうち内側から三番目の筒状壁４３は、五番目の管材２５の高さ方向の中央部によって構成され、四重の筒状壁４１〜４４のうち最も外側に位置する筒状壁４４は、六番目の管材２６の高さ方向の中央部によって構成されている。
【０１５５】
この気化部４０を構成する四重の筒状壁４１〜４４は、互いの間に隙間を有しており、この四重の筒状壁４１〜４４の内側から外側には、断熱空間４５、気化流路４６、燃焼排ガス流路４７、及び、酸化剤ガス流路４８が順に形成されている。気化流路４６の上端部には、容器２０の内側を通る原燃料供給管５０が接続されている。気化流路４６は、原燃料１６１を気化させるために必要な長さを有する。
【０１５６】
図１３に示されるように、改質部６０の上端部には、鉛直方向上側に延長された混合部１９０が形成されている。この混合部１９０は、容器２０の高さ方向における気化部４０と改質部６０との間に位置する。混合部１９０には、混合部１９０の周方向に沿って環状に形成された整流筒１９１が設けられており、この整流筒１９１には、整流筒１９１の径方向（水平方向）に貫通するオリフィス１９２が形成されている。このオリフィス１９２は、気化流路４６の径方向外側に位置しており、気化流路４６の下端部と連通する。混合部１９０は、オリフィス１９２を一つのみ有する。混合部１９０には、オリフィス１９２に対する改質流路６７側（径方向外側）に位置しオリフィス１９２と対向する対向壁部１９６が設けられている。
【０１５７】
改質流路６７の入口（上端）は、オリフィス１９２、及び、混合部１９０の内側空間１９５を介して気化流路４６と連通されている。改質流路６７の入口には、改質流路６７の周方向に沿って環状に形成された一対の仕切板１９３が設けられている。この一対の仕切板１９３は、鉛直方向に並んでいる。各仕切板１９３には、周方向に一定の間隔を空けて複数のオリフィス１９４が形成されている。この複数のオリフィス１９４は、仕切板１９３の板厚方向に貫通しており、改質流路６７には、複数のオリフィス１９４を通じて原燃料ガス１６２が流入する。なお、仕切板１９３は、一枚でも良い。
【０１５８】
気化流路４６で気化された原燃料ガス１６２は、オリフィス１９２を通り、改質部６０の上方に形成された混合部１９０の内側空間１９５に流入する。このとき、気化流路４６で気化された原燃料ガス１６２は、オリフィス１９２を通過する際に流速が高められ、混合部１９０における径方向外側の対向壁部１９６に衝突する。そして、原燃料ガス１６２が混合部１９０における径方向外側の対向壁部１９６に衝突することにより乱流が生じ、原燃料ガス１６２に含まれる炭化水素系ガス及び水蒸気が混合される。
【０１５９】
このようにして混合された原燃料ガス１６２は、対向壁部１９６に衝突することにより径方向外側から鉛直方向下側に向きを変え、改質流路６７の入口に形成された複数のオリフィス１９４を通じて改質流路６７に流入する。複数のオリフィス１９４は、改質流路６７の周方向に一定の間隔を空けて並んでいるので、この複数のオリフィス１９４を通過することで、改質流路６７には、原燃料ガス１６２が分散して流入する。
【０１６０】
また、改質部６０と気化部４０との間には、より具体的には、流路切替部３００が設けられている。流路切替部３００は、改質部６０及び気化部４０と同軸上に設けられると共に、互いの間に隙間を有する五重の筒状壁３０１〜３０５によって構成されている。
【０１６１】
この五重の筒状壁３０１〜３０５のうち内側から一番目の筒状壁３０１は、改質部６０を構成する四重の筒状壁６１〜６４のうち内側から一番目の筒状壁６１を上方に延長にして形成されており、流路切替部３００を構成する五重の筒状壁３０１〜３０５のうち内側から二番目の筒状壁３０２は、気化部４０を構成する四重の筒状壁４１〜４４のうち内側から一番目の筒状壁４１を下方に延長にして形成されている。
【０１６２】
また、流路切替部３００を構成する五重の筒状壁３０１〜３０５のうち内側から三番目の筒状壁３０３は、気化部４０を構成する四重の筒状壁４１〜４４のうち内側から三番目の筒状壁４３を下方に延長にして形成されており、流路切替部３００を構成する五重の筒状壁３０１〜３０５のうち内側から四番目の筒状壁３０４は、気化部４０を構成する四重の筒状壁４１〜４４のうち内側から三番目の筒状壁４３と、改質部６０を構成する四重の筒状壁６１〜６４のうち内側から三番目の筒状壁６３とに連続して形成されている。
【０１６３】
流路切替部３００を構成する五重の筒状壁３０１〜３０５のうち内側から一番目の筒状壁３０１と内側から二番目の筒状壁３０２との間には、改質部６０の燃焼排ガス流路６６を上方に延長した上方延長排ガス流路３０６が形成されており、流路切替部３００を構成する五重の筒状壁３０１〜３０５のうち内側から三番目の筒状壁３０３と内側から四番目の筒状壁３０４との間には、気化部４０の燃焼排ガス流路４７を下方に延長した下方延長排ガス流路３０７が形成されている。
【０１６４】
流路切替部３００を構成する五重の筒状壁３０１〜３０５のうち内側から二番目の筒状壁３０２と三番目の筒状壁３０３には、連通管１９７が接続されている。この連通管１９７は、容器２０の周方向の一部に設けられており、流路切替部３００の径方向を軸方向として配置されている。上方延長排ガス流路３０６と下方延長排ガス流路３０７とは、連通管１９７の内側を通じて連通されており、改質部６０の燃焼排ガス流路６６を流れる燃焼排ガス１６６は、上方延長排ガス流路３０６、連通管１９７の内側、及び、下方延長排ガス流路３０７を通じて気化部４０の燃焼排ガス流路４７に流入する。
【０１６５】
流路切替部３００を構成する五重の筒状壁３００〜３０５のうち内側から二番目の筒状壁３０２の下端部３０２Ａは、改質部６０を構成する四重の筒状壁６１〜６４のうち内側から二番目の筒状壁６２の上端部６２Ａに例えば溶接等により結合されている。
【０１６６】
また、混合部１９０には、トラップ部１９８が設けられている。このトラップ部１９８は、上述のオリフィス１９２に対する下方に位置している。このトラップ部１９８は、気化流路４６の下端部と連通する空間を有する凹状に形成されている。
【０１６７】
図１４に示されるように、燃焼部９０には、ノズル部材２００が設けられている。このノズル部材２００は、燃料電池セルスタック１０の上面に設けられ、燃料極排ガスノズル２０１及び空気極排ガスノズル２０２を有する。ノズル部材２００は、点火電極９２と燃料電池セルスタック１０との間に位置する隔壁部２０３を有し、燃料極排ガスノズル２０１は、この隔壁部２０３の中心部に形成されている。
【０１６８】
燃料極排ガスノズル２０１は、燃料電池セルスタック１０における燃料極の排ガス排出口と連通され、空気極排ガスノズル２０２は、燃料電池セルスタック１０における空気極の排ガス排出口と連通されている。燃料極排ガスノズル２０１は、燃焼部９０における径方向の中心部に位置しており、空気極排ガスノズル２０２は、燃料極排ガスノズル２０１の周囲に複数設けられている。なお、燃料極排ガスノズル２０１は、例えば、円板状に形成された隔壁部２０３の径方向に並んで複数形成されていても良く、また、隔壁部２０３に分散して複数形成されていても良い。
【０１６９】
燃料極排ガスノズル２０１は、鉛直方向上側に開口し、空気極排ガスノズル２０２は、燃焼部９０の径方向内側に開口する。つまり、燃料極排ガスノズル２０１と空気極排ガスノズル２０２とは、互いに直交する方向に開口している。
【０１７０】
点火電極９２は、複数の空気極排ガスノズル２０２の中心部に燃料極排ガスノズル２０１と対向して配置されている。燃料極排ガスノズル２０１及び空気極排ガスノズル２０２から排出されたガスは、混合され、スタック排ガス１６５が生成される。このスタック排ガス１６５は、点火電極９２と隔壁部２０３との間に形成されるスパークによって燃焼される。点火電極９２は、燃料電池セルスタック１０と鉛直方向に離間しているため、スタック排ガス１６５は、燃料電池セルスタック１０から離れた位置で燃焼される。
【０１７１】
この第四実施形態に係る燃料電池モジュールＭ４は、上記構成以外は、第二実施形態に係る燃料電池モジュールＭ２と同様の構造であり、第二実施形態に係る燃料電池モジュールＭ２と同様に動作する。また、この第四実施形態に係る燃料電池モジュールＭ４は、第二実施形態に係る燃料電池モジュールＭ２と同様の構造については、この燃料電池モジュールＭ１と同様の作用及び効果を奏する。
【０１７２】
この第四実施形態に係る燃料電池モジュールＭ４のように、熱交換部１１０が気化部４０の上方に設けられていると、三番目の管材２３、五番目の管材２５、及び、六番目の管材２６を容器２０の上側へ直線状に延長することにより、これらの管材２３，２５，２６で熱交換部１１０を構成することができる。これにより、容器２０の製造が容易になると共に容器２０を構成する管材の数を減らすことができるので、コストダウンすることができる。
【０１７３】
また、熱交換部１１０を構成する管材の数が少なく、熱交換部１１０の設計の自由度が高いため、熱交換部１１０を最適に設計することができる。これにより、熱効率を向上させることができる。
【０１７４】
また、図１２に示されるように、熱交換部１１０の内側には、断熱空間１１５が形成されている。従って、熱交換部１１０については、径方向の厚さを薄くすることで、容積に対して伝熱面積を大きく確保することができる。これにより、熱交換部１１０を径方向及び軸方向に小型化することができる。
【０１７５】
また、気化流路４６は、二番目の管材２２及び三番目の管材２３によって形成されているが、二番目の管材２２の上端の位置は、容器２０の高さ方向の制約が無いので、これにより、気化流路４６の長さを容易に変更することができる。この結果、気化流路４６の長さを最適化することができるので、気化流路４６の下流側に位置する改質流路６７（図１３参照）の入口を通過する原燃料ガス１６２の温度が上昇し過ぎることを抑制することができる。
【０１７６】
また、改質部６０と気化部４０との間には、気化流路４６の内側に位置する燃焼排ガス流路６６と気化流路４６の外側に位置する燃焼排ガス流路４７とを連通させるための連通管１９７が接続されている。この連通管１９７は、流路切替部３００を構成する五重の筒状壁３０１〜３０５のうち内側から二番目の筒状壁３０２と三番目の筒状壁３０３に接続されているが、この連通管１９７は、流路切替部３００の周方向の一部に設けられているため、この連通管１９７と筒状壁３０２，３０３との接続部に応力が集中する虞がある。しかしながら、流路切替部３００を構成する五重の筒状壁３００〜３０５のうち内側から二番目の筒状壁３０２の下端部３０２Ａは、改質部６０を構成する四重の筒状壁６１〜６４のうち内側から二番目の筒状壁６２の上端部６２Ａに例えば溶接等により結合されている。従って、連通管１９７の近傍にて筒状壁３０２の下端部３０２Ａが筒状壁６２の上端部６２Ａに結合されているので、連通管１９７と筒状壁３０２，３０３との接続部に応力が集中することを抑制することができる。
【０１７７】
［第五実施形態］
次に、本発明の第五実施形態について説明する。本発明の第五実施形態は、参考例である。
【０１７８】
図１５に示される第五実施形態に係る燃料電池モジュールＭ５は、上述の第二実施形態に係る燃料電池モジュールＭ２に対し、次のように構造が変更されている。
【０１７９】
すなわち、第五実施形態に係る燃料電池モジュールＭ５において、容器２０は、上述の第二実施形態よりもさらに三つ少ない五個の管材２１〜２５により構成されている。一番目の管材２１及び二番目の管材２２は、容器２０の高さ方向の中央部から上端部に亘って設けられており、二番目の管材２２は、一番目の管材２１の外側に配置されている。
【０１８０】
三番目の管材２３及び四番目の管材２４は、二番目の管材２２の外側に配置されている。三番目の管材２３は、二番目の管材２２の上部に対応する長さで形成されている。四番目の管材２４は、容器２０の高さ方向の中央部から下端部に亘って設けられており、三番目の管材２３の下側に配置されている。五番目の管材２５は、四番目の管材２４の下部に対応する長さで形成され、四番目の管材２４の下部の外側に配置されている。
【０１８１】
一番目の管材２１の上端部と、二番目の管材２２の上端部は、容器２０の上端部に設けられた天壁部１８１に固定され、三番目の管材２３の上端部は、二番目の管材２２の上端部に固定されている。四番目の管材２４の下端部は、底壁部３４に固定され、五番目の管材２５の下端部は、底壁部３５に固定されている。
【０１８２】
容器２０からは、熱交換部が省かれており、この容器２０には、気化部４０と、改質部６０と、燃焼部９０と、予熱部１００（収容部）とが設けられている。
【０１８３】
気化部４０は、三重の筒状壁４１〜４３によって構成されている。三重の筒状壁４１〜４３における内側の筒状壁４１は、一番目の管材２１の上部によって構成され、三重の筒状壁４１〜４３における中央の筒状壁４２は、二番目の管材２２の上部によって構成されている。また、三重の筒状壁４１〜４３における外側の筒状壁４３は、三番目の管材２３によって構成されている。
【０１８４】
図１６に示されるように、この気化部４０を構成する三重の筒状壁４１〜４３は、互いの間に隙間を有しており、内側の筒状壁４１と中央の筒状壁４２との間には、燃焼排ガス流路４７が形成され、外側の筒状壁４３と中央の筒状壁４２との間には、気化流路４６が形成されている。燃焼排ガス流路４７の上端部には、容器２０の径方向外側に延びるガス排出管１２３（図１５参照）が接続され、気化流路４６の上端部には、容器２０の径方向外側に延びる原燃料供給管５０（図１５参照）が接続されている。
【０１８５】
また、気化流路４６には、気化部４０の軸方向回りに螺旋状に形成された螺旋凸部５１が設けられており、この螺旋凸部５１により、気化流路４６は、気化部４０の軸方向回りに螺旋状に形成されている。同様に、燃焼排ガス流路４７には、気化部４０の軸方向回りに螺旋状に形成された螺旋凸部５５が設けられており、この螺旋凸部５５により、燃焼排ガス流路４７は、気化部４０の軸方向回りに螺旋状に形成されている。
【０１８６】
改質部６０は、三重の筒状壁６１〜６３によって構成されている。三重の筒状壁６１〜６３における内側の筒状壁６１は、一番目の管材２１の下部によって構成され、三重の筒状壁６１〜６３における中央の筒状壁６２は、二番目の管材２２の下部によって構成されている。また、三重の筒状壁６１〜６３における外側の筒状壁６３は、四番目の管材２４の上部によって構成されている。
【０１８７】
この改質部６０を構成する三重の筒状壁６１〜６３は、互いの間に隙間を有しており、内側の筒状壁６１と中央の筒状壁６２との間には、燃焼排ガス流路６６が形成され、外側の筒状壁６３と中央の筒状壁６２との間には、改質流路６７が形成されている。
【０１８８】
改質流路６７の入口には、改質部６０の周方向に沿って環状に形成された一対の仕切板２１２が設けられている。この一対の仕切板２１２は、鉛直方向に並んでいる。各仕切板２１２には、周方向に一定の間隔を空けて複数のオリフィス２１３が形成されている。オリフィス２１３は、仕切板２１２の板厚方向（鉛直方向）に貫通しており、改質流路６７には、複数のオリフィス２１３を通じて原燃料ガス１６２が流入する。
【０１８９】
複数のオリフィス２１３は、改質流路６７の周方向に一定の間隔を空けて並んでいるので、この複数のオリフィス２１３を通過することで、改質流路６７には、原燃料ガス１６２が分散して流入する。なお、仕切板２１２は、一枚でも良い。
【０１９０】
図１７に示されるように、予熱部１００は、二重の筒状壁１０１，１０２によって構成されている。二重の筒状壁１０１，１０２のうち内側の筒状壁１０１は、四番目の管材２４の下部によって構成され、二重の筒状壁１０１，１０２のうち外側の筒状壁１０２は、五番目の管材２５によって構成されている。予熱流路１０５の上端部には、容器２０の径方向外側に延びる酸化剤ガス供給管１２２が接続されている。
【０１９１】
予熱流路１０５を流れる酸化剤ガス１６４の予熱は、燃料電池セルスタック１０からの輻射、燃料極及び空気極から排出された排ガスからの伝熱、及び、燃焼部９０からの伝熱によって賄われる。
【０１９２】
五番目の管材２５が容器２０の下部にのみ設けられることにより、上述の如く、気化部４０は、三重の筒状壁４１〜４３によって構成され、改質部６０は、三重の筒状壁６１〜６３によって構成されている。また、気化部４０及び改質部６０がそれぞれ三重の筒状壁によって構成されることにより、気化部４０及び改質部６０からは、酸化剤ガス流路がそれぞれ省かれている。
【０１９３】
この第五実施形態に係る燃料電池モジュールＭ５は、上記構成以外は、第二実施形態に係る燃料電池モジュールＭ２と同様の構造であり、第二実施形態に係る燃料電池モジュールＭ２と同様に動作する。また、この第五実施形態に係る燃料電池モジュールＭ５は、第二実施形態に係る燃料電池モジュールＭ２と同様の構造については、この燃料電池モジュールＭ１と同様の作用及び効果を奏する。
【０１９４】
この第五実施形態に係る燃料電池モジュールＭ５のように、気化部４０及び改質部６０から酸化剤ガス流路がそれぞれ省かれていると、燃焼部９０から排出された燃焼排ガス１６６の熱を酸化剤ガスで吸収することができないが、気化部４０及び改質部６０の構造を簡素化することができるので、これにより、コストダウンすることができる。
【０１９５】
また、改質部６０から酸化剤ガス流路が省かれることにより、吸熱反応を示す改質部６０から熱が奪われることを抑制することができるので、熱効率を向上させることができる。
【０１９６】
さらに、気化部４０及び改質部６０から酸化剤ガス流路が省かれることにより、気化部４０及び改質部６０では、燃焼排ガス１６６が改質反応と気化とに熱を奪われるのみであるので、これにより、気化部４０及び改質部６０の伝熱面積を小さくすることができる。
【０１９７】
また、気化部４０及び改質部６０から酸化剤ガス流路が省かれて、予熱流路１０５の上端部に酸化剤ガス供給管１２２が接続されることにより、予熱流路１０５を流れる酸化剤ガス１６４の温度は、気化部４０及び改質部６０に酸化剤ガス流路が設けられている場合に比して低くなる。従って、燃料電池セルスタック１０の放熱を、温度の低い酸化剤ガスで吸収することができるので、燃料電池セルスタック１０から外部への放熱を抑制でき、ひいては、燃料電池モジュールＭ５の発電効率を向上させることができる。
【０１９８】
［第六実施形態］
次に、本発明の第六実施形態について説明する。本発明の第六実施形態は、参考例である。
【０１９９】
図１８に示される第六実施形態に係る燃料電池モジュールＭ６は、上述の第一実施形態に係る燃料電池モジュールＭ１に対し、次のように構造が変更されている。
【０２００】
すなわち、第六実施形態に係る燃料電池モジュールＭ６において、容器２０は、上述の第一実施形態よりも二つ少ない七個の管材２１〜２７により構成されている。一番目の管材２１及び二番目の管材２２は、燃料電池セルスタック１０の上方から容器２０の上端部に亘って設けられており、三番目の管材２３及び四番目の管材２４は、容器２０の高さ方向の中央部から上端部に亘って設けられている。
【０２０１】
図１９に示されるように、一番目の管材２１から四番目の管材２４の上部には、鉛直方向上側に向かうに従って縮径する縮径部２２１〜２２４がそれぞれ形成されている。この複数の縮径部２２１〜２２４のうち、二番目から四番目の管材２２〜２４に形成された縮径部２２２〜２２４の上方には、円筒状の接続部２２５〜２２７がそれぞれ形成されている。
【０２０２】
一番目の管材２１に形成された縮径部２２１の上端部、及び、二番目の管材２２に設けられた接続部２２５の上端部は、パイプ１５０の上部にそれぞれ固定されている。また、三番目の管材２３に設けられた接続部２２６の上端部は、二番目の管材２２に設けられた接続部２２５の上端部に固定され、四番目の管材２４に設けられた接続部２２７の上端部は、三番目の管材２３に設けられた接続部２２６の上端部に固定されている。また、この接続部２２５〜２２７のうち、三番目の管材２３及び四番目の管材２４に設けられた接続部２２６，２２７には、蛇腹状のベローズ２２８，２２９がそれぞれ形成されている。
【０２０３】
図１８に示されるように、五番目の管材２５及び六番目の管材２６は、三番目の管材２３及び四番目の管材２４の下方から容器２０の下端部に亘って設けられており、七番目の管材２７は、二番目の管材２２の下方で燃料電池セルスタック１０と五番目の管材２５のとの間に設けられている。二番目の管材２２の下端部は、七番目の管材２７の上端部に固定され、五番目の管材２５の下端部、六番目の管材２６の下端部、及び、七番目の管材２７の下端部は、容器２０の下壁部を構成するマニホールド１４に固定されている。
【０２０４】
熱交換部１１０は、気化部４０の上方に気化部４０と同軸上に設けられており、容器２０の上部に設けられた四重の筒状壁１１１〜１１４によって構成されている。四重の筒状壁１１１〜１１４のうち最も内側に位置する筒状壁１１１は、一番目の管材２１の上部によって構成され、四重の筒状壁１１１〜１１４のうち内側から二番目の筒状壁１１２は、二番目の管材２２の上部によって構成されている。また、四重の筒状壁１１１〜１１４のうち内側から三番目の筒状壁１１３は、三番目の管材２３の上部によって構成され、四重の筒状壁１１１〜１１４のうち最も外側に位置する筒状壁１１４は、四番目の管材２４の上部によって構成されている。
【０２０５】
図１９に示されるように、この熱交換部１１０を構成する四重の筒状壁１１１〜１１４は、互いの間に隙間を有しており、この四重の筒状壁１１１〜１１４の内側から外側には、断熱空間１１５、燃焼排ガス流路１１８、原燃料流路１１６、及び、酸化剤ガス流路１１７が順に形成されている。
【０２０６】
つまり、一番目の筒状壁１１１の内側の空間は、断熱空間１１５として形成され、一番目の筒状壁１１１と、二番目の筒状壁１１２との間の隙間は、燃焼排ガス流路１１８として形成されている。また、二番目の筒状壁１１２と、三番目の筒状壁１１３との間の隙間は、原燃料流路１１６として形成され、三番目の筒状壁１１３と、四番目の筒状壁１１４との間の隙間は、酸化剤ガス流路１１７として形成されている。
【０２０７】
燃焼排ガス流路１１８の上端部は、パイプ１５０と接続部２２５との間に形成された接続流路２３１と連通され、この接続流路２３１の上端部には、容器２０の径方向外側に延びるガス排出管１２３が接続されている。燃焼排ガス流路１１８は、鉛直方向下側を上流側として形成されており、この燃焼排ガス流路１１８には、気化部４０の燃焼排ガス流路４７（図２０参照）から供給された燃焼排ガス１６６が鉛直方向下側から上側に流れる。
【０２０８】
原燃料流路１１６の上端部は、接続部２２５と接続部２２６との間に形成された接続流路２３２と連通され、この接続流路２３２の上端部には、容器２０の径方向外側に延びる原燃料供給管５０が接続されている。原燃料流路１１６は、鉛直方向上側を上流側として形成されており、この原燃料流路１１６には、原燃料供給管５０から接続流路２３２を通じて供給された原燃料１６１が鉛直方向上側から下側に流れる。原燃料流路１１６の下端部は、気化流路４６（図２０参照）と連通されている。
【０２０９】
酸化剤ガス流路１１７の上端部は、接続部２２６と接続部２２７との間に形成された接続流路２３３と連通されている。この接続流路２３３の上端部には、容器２０の径方向外側に延びる酸化剤ガス供給管１２２が接続されており、酸化剤ガス流路１１７の下端部は、気化部４０に形成された酸化剤ガス流路４８（図２０参照）と連通されている。酸化剤ガス流路１１７は、鉛直方向上側を上流側として形成されており、この酸化剤ガス流路１１７には、酸化剤ガス供給管１２２から接続流路２３３を通じて供給された酸化剤ガス１６４が鉛直方向上側から下側に流れる。
【０２１０】
原燃料流路１１６には、熱交換部１１０の軸方向回りに螺旋状に形成された螺旋凸部１１９が設けられており、この螺旋凸部１１９により、原燃料流路１１６は、熱交換部１１０の軸方向回りに螺旋状に形成されている。同様に、酸化剤ガス流路１１７には、熱交換部１１０の軸方向回りに螺旋状に形成された螺旋凸部１２０が設けられており、この螺旋凸部１２０により、酸化剤ガス流路１１７は、熱交換部１１０の軸方向回りに螺旋状に形成されている。同様に、燃焼排ガス流路１１８には、熱交換部１１０の軸方向回りに螺旋状に形成された螺旋凸部１２１が設けられており、この螺旋凸部１２１により、燃焼排ガス流路１１８は、熱交換部１１０の軸方向回りに螺旋状に形成されている。
【０２１１】
原燃料流路１１６のうち螺旋凸部１１９により螺旋状に形成された部分（螺旋流路）は、原燃料流路１１６の下流に位置する気化流路４６よりも螺旋のピッチが小さくなっている。螺旋凸部１１９は、原燃料流路１１６を形成する筒状壁１１２，１１３の両方と接触しており、筒状壁１１２及び筒状壁１１３の間に介在するスペーサの役割を果たしている。
【０２１２】
なお、燃焼排ガス流路１１８のうち螺旋凸部１２１により螺旋状に形成された部分のピッチ（螺旋凸部１２１のピッチ）は、交換伝熱量に応じて変更することが可能である。また、伝熱量の多い気化部４０に形成された気化流路４６の螺旋のピッチ（螺旋凸部５１のピッチ）は、細かくすると好適である。
【０２１３】
図１８に示されるように、気化部４０は、四重の筒状壁４１〜４４によって構成されている。四重の筒状壁４１〜４４のうち最も内側に位置する筒状壁４１は、一番目の管材２１の高さ方向の中央部によって構成され、四重の筒状壁４１〜４４のうち内側から二番目の筒状壁４２は、二番目の管材２２の高さ方向の中央部によって構成されている。また、四重の筒状壁４１〜４４のうち内側から三番目の筒状壁４３は、三番目の管材２３の下部によって構成され、四重の筒状壁４１〜４４のうち最も外側に位置する筒状壁４４は、四番目の管材２４の下部によって構成されている。
【０２１４】
図２０に示されるように、この気化部４０を構成する四重の筒状壁４１〜４４は、互いの間に隙間を有しており、この四重の筒状壁４１〜４４の内側から外側には、断熱空間４５、燃焼排ガス流路４７、気化流路４６、及び、酸化剤ガス流路４８が順に形成されている。
【０２１５】
気化流路４６、酸化剤ガス流路４８、及び、燃焼排ガス流路４７には、螺旋凸部１１９，１２０，１２１が設けられており、この螺旋凸部１１９，１２０，１２１により、気化流路４６、酸化剤ガス流路４８、及び、燃焼排ガス流路４７は、気化部４０の軸方向回りに螺旋状に形成されている。
【０２１６】
図１８に示されるように、改質部６０は、四重の筒状壁６１〜６４によって構成されている。四重の筒状壁６１〜６４のうち最も内側に位置する筒状壁６１は、一番目の管材２１の下部によって構成され、四重の筒状壁６１〜６４のうち内側から二番目の筒状壁６２は、二番目の管材２２の下部によって構成されている。また、四重の筒状壁６１〜６４のうち内側から三番目の筒状壁６３は、五番目の管材２５の上部によって構成され、四重の筒状壁６１〜６４のうち最も外側に位置する筒状壁６４は、六番目の管材２６の上部によって構成されている。
【０２１７】
図２０に示されるように、改質部６０を構成する四重の筒状壁６１〜６４は、互いの間に隙間を有しており、この四重の筒状壁６１〜６４の内側から外側には、断熱空間６５、燃焼排ガス流路６６、改質流路６７、及び、酸化剤ガス流路６８が順に形成されている。
【０２１８】
改質流路６７の入口（上端）には、改質部６０の周方向に沿って環状に形成された一対の仕切板２３４が設けられている。この一対の仕切板２３４は、鉛直方向に並んでいる。各仕切板２３４には、周方向に一定の間隔を空けて複数のオリフィス２３５が形成されている。オリフィス２３５は、仕切板２３４の板厚方向（鉛直方向）に貫通しており、改質流路６７には、複数のオリフィス２３５を通じて原燃料ガス１６２が流入する。
【０２１９】
一対の仕切板２３４の外周部は、改質部６０を構成する四重の筒状壁６１〜６４のうち内側から三番目の筒状壁６３と僅かな隙間を有して離間されている。なお、一対の仕切板２３４の内周部が、改質部６０を構成する四重の筒状壁６１〜６４のうち内側から二番目の筒状壁６２と僅かな隙間を有して離間されていても良い。
【０２２０】
複数のオリフィス２３５は、改質流路６７の周方向に一定の間隔を空けて並んでいるので、この複数のオリフィス２３５を通過することで、改質流路６７には、原燃料ガスが分散して流入する。なお、仕切板２３４は、一枚でも良い。
【０２２１】
図１８に示されるように、予熱部１００は、三重の筒状壁１０１〜１０３によって構成されている。三重の筒状壁１０１〜１０３における内側の筒状壁１０１は、七番目の管材２７によって構成され、三重の筒状壁１０１〜１０３における中央の筒状壁１０２は、五番目の管材２５の下部によって構成され、三重の筒状壁１０１〜１０３における外側の筒状壁１０３は、六番目の管材２６の下部によって構成されている。
【０２２２】
図２１に示されるように、この熱交換部１１０を構成する三重の筒状壁１０１〜１０３は、互いの間に隙間を有している。そして、内側の筒状壁１０１と中央の筒状壁１０２との間には、燃料ガス流路１０８が形成され、外側の筒状壁１０３と中央の筒状壁１０２との間には、予熱流路１０５が形成されている。燃料ガス流路１０８の上端部は、改質流路６７と連通されている。
【０２２３】
また、燃料ガス流路１０８の下端部は、マニホールド１４（図１８参照）に形成された流路を通じて燃料電池セルスタック１０の燃料ガス取入口と連通され、予熱流路１０５の下端部は、マニホールド１４（図１８参照）に形成された流路を通じて燃料電池セルスタック１０の酸化剤ガス取入口と連通されている。
【０２２４】
この第六実施形態に係る燃料電池モジュールＭ６は、熱交換部１１０が気化部４０の上方に設けられた以外は、第一実施形態に係る燃料電池モジュールＭ１と同様の構造であり、第一実施形態に係る燃料電池モジュールＭ１と同様に動作する。また、この第二実施形態に係る燃料電池モジュールＭ２は、第一実施形態に係る燃料電池モジュールＭ１と同様の構造については、この燃料電池モジュールＭ１と同様の作用及び効果を奏する。
【０２２５】
この第六実施形態に係る燃料電池モジュールＭ６のように、熱交換部１１０が気化部４０の上方に設けられていると、一番目から四番目の管材２１〜２４を容器２０の上側へ直線状に延長することにより、この一番目から四番目の管材２１〜２４の上部で熱交換部１１０を構成することができる。これにより、容器２０の製造が容易になると共に容器２０を構成する管材の数を減らすことができるので、コストダウンすることができる。
【０２２６】
また、熱交換部１１０が気化部４０の上方に気化部４０と同軸上に設けられているので、この燃料電池モジュールＭ６によれば、径方向により一層小型化することができる。
【０２２７】
また、図１９に示されるように、熱交換部１１０では、燃焼排ガス流路１１８と並んで原燃料流路１１６が形成されているので、原燃料流路１１６を流れる原燃料１６１を、燃焼排ガス流路１１８を流れる燃焼排ガス１６６との間で熱交換させることができ、これにより、原燃料１６１を予熱することができる。
【０２２８】
また、熱交換部１１０の内側には、断熱空間１１５が形成されている。従って、熱交換部１１０については、径方向の厚さを薄くすることで、容積に対して伝熱面積を大きく確保することができる。これにより、熱交換部１１０を径方向及び軸方向に小型化することができる。
【０２２９】
また、三番目の管材２３及び四番目の管材２４に設けられた接続部２２６，２２７にベローズ２２８，２２９がそれぞれ形成されているので、一番目から四番目の管材２１〜２４に温度差による熱膨張差が生じても、ベローズ２２８，２２９が伸縮することにより熱膨張差に伴う応力を吸収して緩和することができる。
【０２３０】
次に、上述の第一乃至第六実施形態に共通の変形例について説明する。
【０２３１】
＜変形例１＞
図２２に示される変形例では、一例として、第一実施形態に係る燃料電池モジュールＭ１において、燃焼部９０の構成が変更されている。つまり、隔壁部９３には、環状板２４０と、環状板２４０の中央に設けられた中央板２４１とが設けられている。中央板２４１は、環状板２４０よりも燃料電池セルスタック１０の側（下方）に位置する。中央板２４１の中央部には、一つの絞り孔２４２が形成されている。
【０２３２】
また、環状板２４０の中央には、仕切板２４３が設けられている。この仕切板２４３には、鉛直方向に貫通する複数のオリフィス２４４が同一円周上に均等に形成されている。
【０２３３】
このように、中央板２４１の中央部に一つの絞り孔２４２が形成されていると、この一つの絞り孔２４２に燃料極排ガスと空気極排ガスの全体が通り抜けるので、この燃料極排ガスと空気極排ガスとを確実に混合させることができる。なお、燃料電池モジュールＭ１の起動時では、改質触媒層７０にて未反応で、燃料電池セルスタック１０にて未使用の炭化水素系燃料が燃料極排ガスに含まれる。
【０２３４】
また、絞り孔２４２と点火電極９２との間に設けられた仕切板２４３に複数のオリフィス２４４が形成されると共に、この複数のオリフィス２４４が同一円周上に均等に並んでいると、同一円周上に均一なスタック排ガスの流れを形成することができる。これにより、スタック排ガスを安定して燃焼させることができる。
【０２３５】
＜変形例２＞
また、図２３に示される変形例では、一例として、第一実施形態に係る燃料電池モジュールＭ１において、隔壁部９３の上に保炎部材２５０が設けられている。この保炎部材２５０は、環状の保持部２５１と、保持部２５１の中央部に設けられたメタルニット２５２とを有する。メタルニット２５２は、複数のオリフィス２４４と点火電極９２との間に配置されており、点火電極９２の側（上方）に膨出する半球面状に形成されている。
【０２３６】
このように、複数のオリフィス２４４と点火電極９２との間にメタルニット２５２が設けられていると、このメタルニット２５２で火炎を保持することができる。これにより、燃料極排ガスと空気極排ガスとが絞り孔２４２により予め混合されて生成されたスタック排ガスを燃焼させる場合（予混合燃焼の場合）でも、スタック排ガスを逆火させないで安定して燃焼させることができる。
【０２３７】
＜変形例３＞
また、上述の図２２，図２３に示される変形例において、中央板２４１の下面には、図２４に示される如く、絞り孔２４２を中心とする渦巻き放射状の案内壁２６１が形成されていても良い。
【０２３８】
このように、中央板２４１の下面に絞り孔２４２を中心とする渦巻き放射状の案内壁２６１が形成されていると、図２２，図２３に示される燃料電池セルスタック１０から排出された燃料極排ガス及び空気極排ガスを案内壁２６１によって絞り孔２４２に誘導することができる。これにより、燃料極排ガス及び空気極排ガスを絞り孔２４２に円滑に通過させることができるので、この燃料極排ガス及び空気極排ガスを安定して混合させることができる。
【０２３９】
この図２２〜図２４に示される変形例は、上述の第一実施形態に係る燃料電池モジュールＭ１だけでなく、第二乃至第六実施形態に係る燃料電池モジュールＭ２〜Ｍ６にも適用可能である。
【０２４０】
＜変形例４＞
また、第一乃至第六実施形態に係る燃料電池モジュールＭ１〜Ｍ６において、燃料電池セルスタック１０は、より具体的には、図２７に示されるように、鉛直方向に積層された複数の平板形のセル１２を有する。各セル１２は、燃料極２７１、電解質層２７２、空気極２７３、一対のセパレータ２７４を有する。燃料極２７１には、燃料ガス１６３が供給され、空気極２７３には、酸化剤ガス１６４が供給される。
【０２４１】
しかしながら、第一乃至第六実施形態に係る燃料電池モジュールＭ１〜Ｍ６において、燃料電池セルスタック１０のセル１２は、図２８に示されるように、円筒形に形成されても良い。この円筒形の各セル１２は、燃料極２８１、電解質層２８２、空気極２８３、インターコネクタ２８４を有する。燃料極２８１には、燃料ガス１６３が供給され、空気極２８３には、酸化剤ガス１６４が供給される。
【０２４２】
また、第一乃至第六実施形態に係る燃料電池モジュールＭ１〜Ｍ６において、燃料電池セルスタック１０のセル１２は、図２９に示されるように、円筒平板形に形成されても良い。この円筒平板形の各セル１２は、燃料極２９１、電解質層２９２、空気極２９３、インターコネクタ２９４を有する。燃料極２９１には、燃料ガス１６３が供給され、空気極２９３には、酸化剤ガス１６４が供給される。
【０２４３】
図２５Ａ，図２５Ｂには、一例として、第一実施形態に係る燃料電池モジュールＭ１において、上述の図２８に示される複数の円筒形のセル１２を有する燃料電池セルスタック１０が搭載された例が示されている。また、図２６Ａ，図２６Ｂには、第一実施形態に係る燃料電池モジュールＭ１において、上述の図２９に示される複数の円筒平板形のセル１２を有する燃料電池セルスタック１０が搭載された例が示されている。円筒形のセル１２及び円筒平板形のセル１２のいずれも、セル１２が鉛直方向に沿って延びるように配置されている。
【０２４４】
なお、図２５Ａ〜図２６Ｂに示されるように、予熱部１００を構成する二重の筒状壁１０１，１０２のうち内側の筒状壁１０１の下端部には、予熱部１００の内側空間１０４と予熱流路１０５の下端部とを連通する酸化剤ガス供給口１０９が形成されている。酸化剤ガス供給口１０９は、予熱部１００の周方向に間隔を空けて複数形成されている。また、底壁部３４には、各セル１２に対応して一又は複数の燃料ガス取入口１６が形成されている。
【０２４５】
＜変形例５＞
また、第一乃至第六実施形態に係る燃料電池モジュールＭ１〜Ｍ６において、予熱部１００、燃焼部９０の周壁部９１、改質部６０を構成する複数の筒状壁、気化部４０を構成する複数の筒状壁、及び、熱交換部１１０等を構成する複数の筒状壁は、いずれも横断面が真円形状である円筒状に形成されている（例えば、図２６Ｂの二点鎖線で示された予熱部１００を参照）。
【０２４６】
しかしながら、第一乃至第六実施形態に係る燃料電池モジュールＭ１〜Ｍ６において、予熱部１００、燃焼部９０の周壁部９１、改質部６０を構成する複数の筒状壁、気化部４０を構成する複数の筒状壁、及び、熱交換部１１０等を構成する複数の筒状壁は、いずれも横断面が楕円形状である楕円筒状に形成されていても良い（例えば、図２６Ｂの実線で示された予熱部１００を参照）。
【０２４７】
また、第一乃至第六実施形態に係る燃料電池モジュールＭ１〜Ｍ６において、予熱部１００、燃焼部９０の周壁部９１、改質部６０を構成する複数の筒状壁、気化部４０を構成する複数の筒状壁、及び、熱交換部１１０等を構成する複数の筒状壁は、横断面が真円形状である円筒状に形成されたものと、横断面が楕円形状である楕円筒状に形成されたものの両方を含んでいても良い。
【０２４８】
また、第一乃至第六実施形態に係る燃料電池モジュールＭ１〜Ｍ６では、燃料電池セルスタック１０の形状（例えば、燃料電池セルスタック１０が複数の円筒平板形のセル１２を有する場合）に応じて、予熱部１００のみ楕円筒状に形成されても良い（図２６Ｂ参照）。
【０２４９】
＜その他の変形例＞
図１〜図５に示される第一実施形態に係る燃料電池モジュールＭ１において、熱交換部１１０は、内側の筒状壁１１１と中央の筒状壁１１２との間に酸化剤ガス流路１１７を有し、外側の筒状壁１１３と中央の筒状壁１１２との間に燃焼排ガス流路１１８を有する。しかしながら、熱交換部１１０は、内側の筒状壁１１１と中央の筒状壁１１２との間に燃焼排ガス流路１１８を有し、外側の筒状壁１１３と中央の筒状壁１１２との間に酸化剤ガス流路１１７を有するように構造が変更されても良い。
【０２５０】
また、第一乃至第六実施形態に係る燃料電池モジュールＭ１〜Ｍ６において、燃料電池セルスタック１０には、固体酸化物形燃料電池（ＳＯＦＣ）が適用されているが、その他の形式の燃料電池が適用されても良い。
【０２５１】
また、原燃料に含まれる炭化水素系燃料として、都市ガスが用いられているが、都市ガスの代わりにメタンガスなど水素を主成分とするガスが用いられても良い。また、炭化水素系燃料は、炭化水素系液体でも良い。
【０２５２】
次に、第一の評価試験について説明する。
【０２５３】
第一の評価試験として、上述の第一実施形態に係る燃料電池モジュールＭ１を例にシミュレーションを行う。
【０２５４】
表１には、シミュレーションにおける第一回目の結果が示されており、表２には、シミュレーションにおける第二回目の結果が示されている。図３０に示されるように、本シミュレーションにおいて、Ｑ１は、気化部４０における気化熱及び予熱を合わせた吸熱量、Ｑ２は、改質部６０の吸熱量、Ｑ３は、予熱部１００の予熱量、Ｑ４は、燃料電池セルスタック１０の発熱量、Ｑ５は、燃焼部９０の燃焼熱量、Ｑ６は、熱交換部１１０の回収熱量を示す。また、Ｅ１は、燃料電池セルスタックの発電量（ＤＣ出力）を示す。なお、符号５０は、原燃料供給管を示し、符号１２２は、酸化剤ガス供給管を示し、符号１２３は、ガス排出管を示す。炭化水素系ガスには、都市ガスが使用される。
【０２５５】
【表１】
0006291375.tif 000002
【０２５６】
【表２】
0006291375.tif 000003
【０２５７】
この第一の評価試験より、各部の温度を適正にするための交換熱量Ｑ１〜Ｑ６が求まる。この交換熱量Ｑ１〜Ｑ６を適正に熱交換する各部の伝熱面積を設定することにより、燃料電池モジュールの所定の性能が得られると言える。
【０２５８】
次に、第二の評価試験について説明する。
【０２５９】
第二の評価試験では、一例として、上述の第一実施形態に係る燃料電池モジュール、及び、第二の実施形態に係る燃料電池モジュールについて、シミュレーション及び測定試験を行う。
【０２６０】
表３には、第二の評価試験の結果が示されている。第二の評価試験において、ＮＯ．１〜ＮＯ．１２は、図３１に示される第一実施形態に係る燃料電池モジュールＭ１、及び、図３２に示される第二実施形態に係る燃料電池モジュールＭ２の測定点番号を示す。
【０２６１】
ＮＯ．１では、原燃料供給管５０に供給される原燃料に含まれる都市ガスの流量が測定され、ＮＯ．２では、酸化剤ガス供給管１２２に供給される酸化剤ガスの流量が測定され、ＮＯ．３では、原燃料供給管５０に供給される水の流量が測定され、ＮＯ．４では、原燃料供給管５０に供給される原燃料の圧力が測定される。
【０２６２】
また、ＮＯ．５では、酸化剤ガス供給管１２２に供給される酸化剤ガスの圧力が測定され、ＮＯ．６では、熱交換部１１０の出口における燃焼排ガスの温度が測定され、ＮＯ．７では、燃料電池セルスタック１０に供給される燃料ガスの温度が測定され、ＮＯ．８では、燃料電池セルスタック１０に供給される酸化剤ガスの温度が測定される。
【０２６３】
また、ＮＯ．９では、燃料電池セルスタック１０の平均温度が測定され、ＮＯ．１０では、燃料電池セルスタック１０からのスタック排ガスの平均温度が測定され、ＮＯ．１１では、改質部６０の出口（改質流路の出口）における燃料ガス（改質ガス）の温度が測定され、ＮＯ．１２では、気化部４０の出口における原燃料ガスの温度が測定される。
【０２６４】
この第二の評価試験では、燃料電池セルスタック１０の代わりに、反応及び発電を伴わない模擬セルスタックが使用される。発電時に想定される原燃料ガスの流量から発電に使用される原燃料ガスの量を差し引いた量の原燃料ガスが原燃料供給管５０に投入されることで、発電時に想定される燃料電池モジュールの温度バランス状態が作り出される。
【０２６５】
第二の評価試験における試験条件は、次の通りである。すなわち、発電時に想定される原燃料ガスの流量は、2.0L/min(1370WLHV)である。シミュレーションにおいて発電量は820Wであり、実際に発電を行わない測定試験においては、発電相当熱量を差し引いた原燃料で燃料電池モジュール内部での発熱量を模擬する必要がある。つまり、発電模擬に使用される原燃料ガスの量は、1370Wから820Wを減じた熱量として、550WLHV（0.8L/min)を基準としている。水の流量、酸化剤ガスの流量は、燃料電池モジュール内部での吸熱量を模擬するためにシミュレーション通りの流量とする。以上の条件で各部の温度を測定する。そして、シミュレーション通りの熱交換が実施され、各部の温度が適正であるか否かを判断する。
【０２６６】
【表３】
0006291375.tif 000004
【０２６７】
この第二の評価試験より、第一乃至第三実施形態において、シミュレーションに近い温度分布を実現することができると言える。
【０２６８】
以上、本発明の第一乃至第六実施形態について説明したが、本発明は、上記に限定されるものでなく、上記以外にも、その主旨を逸脱しない範囲内において種々変形して実施可能であることは勿論である。
【符号の説明】
【０２６９】
Ｍ１〜Ｍ６…燃料電池モジュール、１０…燃料電池セルスタック、１５…酸化剤ガス取入口、１６…燃料ガス取入口、２０…容器、２１〜２９…管材、３１〜３３…連結部、３４，３５…底壁部、３７…導入路、４０…気化部、４１〜４４…筒状壁、４５…断熱空間、４６…気化流路、４７…燃焼排ガス流路、４８…酸化剤ガス流路、４９…断熱材、５０…原燃料供給管、５１…螺旋凸部、５２…整流板、５３…オリフィス、５４…トラップ部、５５…螺旋凸部、６０…改質部、６１〜６４…筒状壁、６５…断熱空間、６６…燃焼排ガス流路、６７…改質流路、６８…酸化剤ガス流路、６９…断熱材、７０…改質触媒層、８０…混合部、８１…連結管、８２…オリフィス、８３…仕切板、８４…オリフィス、８５…内側空間、８６…対向壁部、９０…燃焼部、９１…周壁部、９２…点火電極、９３…隔壁部、９４…燃焼室、９５…テーパ部、９６…絞り孔、９７…仕切板、９８…オリフィス、１００…予熱部（収容部）、１０１〜１０３…筒状壁、１０４…内側空間、１０５…予熱流路、１０６…螺旋凸部、１０７…燃料ガス配管、１０８…燃料ガス流路、１１０…熱交換部、１１１〜１１４…筒状壁、１１５…断熱空間、１１６…原燃料流路、１１７…酸化剤ガス流路、１１８…燃焼排ガス流路、１１９〜１２１…螺旋凸部、１２２…酸化剤ガス供給管、１２３…ガス排出管、１２４…断熱材、１３０…断熱層、１４０…断熱材、１６１…原燃料、１６２…原燃料ガス、１６３…燃料ガス、１６４…酸化剤ガス、１６５…スタック排ガス、１６６…燃焼排ガス、１９０…混合部
【図１】
0006291375.tif 000005
【図２】
0006291375.tif 000006
【図３】
0006291375.tif 000007
【図４】
0006291375.tif 000008
【図５】
0006291375.tif 000009
【図６】
0006291375.tif 000010
【図７】
0006291375.tif 000011
【図８】
0006291375.tif 000012
【図９】
0006291375.tif 000013
【図１０】
0006291375.tif 000014
【図１１】
0006291375.tif 000015
【図１２】
0006291375.tif 000016
【図１３】
0006291375.tif 000017
【図１４】
0006291375.tif 000018
【図１５】
0006291375.tif 000019
【図１６】
0006291375.tif 000020
【図１７】
0006291375.tif 000021
【図１８】
0006291375.tif 000022
【図１９】
0006291375.tif 000023
【図２０】
0006291375.tif 000024
【図２１】
0006291375.tif 000025
【図２２】
0006291375.tif 000026
【図２３】
0006291375.tif 000027
【図２４】
0006291375.tif 000028
【図２５Ａ】
0006291375.tif 000029
【図２５Ｂ】
0006291375.tif 000030
【図２６Ａ】
0006291375.tif 000031
【図２６Ｂ】
0006291375.tif 000032
【図２７】
0006291375.tif 000033
【図２８】
0006291375.tif 000034
【図２９】
0006291375.tif 000035
【図３０】
0006291375.tif 000036
【図３１】
0006291375.tif 000037
【図３２】
0006291375.tif 000038
【図３３】
0006291375.tif 000039